(57)【特許請求の範囲】
【請求項１】
通信の方法であって、
情報を受信するように指定された、指定された移動局に配信されるべき前記情報を与えることと、
少なくとも１つのフェムトセルのセットのためのプレゼンスドメインにおける前記情報の非同期通信を可能にする前記プレゼンスドメインに前記指定された移動局が存在するときに前記情報が前記指定された移動局に配信されるべきであるという指示を与えることと、ここにおいて、前記セットは、マクロセルおよびコアネットワークを備えるセルラネットワークに接続され、前記プレゼンスドメインに存在することは、前記セットのフェムトカバレージエリアに存在することを備え、ここにおいて、前記情報の配信は非セルラーアクセスを用いて行われる、
前記指定された移動局が前記プレゼンスドメインに存在するときに前記指定された移動局に配信するための前記情報を前記指定された移動局が前記プレゼンスドメインに存在しない間記憶するように構成されたサーバに、前記指定された移動局が前記プレゼンスドメインに入る前に、前記情報および前記指示を別の移動局から送ることと
を備える方法。
【請求項２】
前記指示を前記与えることは、前記指定された移動局が前記プレゼンスドメインに関連付けられていると判断することを備える、請求項１に記載の方法。
【請求項３】
前記指示を前記与えることは、前記指定された移動局が前記プレゼンスドメインに存在するまで、前記情報が前記指定された移動局に配信されるべきではないと判断することを備える、請求項１に記載の方法。
【請求項４】
前記サーバは、前記セットのフェムトセルを備える、請求項１に記載の方法。
【請求項５】
前記サーバは、セルラーコアネットワークエンティティを備える、請求項１に記載の方法。
【請求項６】
通信のための装置であって、
情報を受信するように指定された、指定された移動局に配信されるべき前記情報を与えるように構成され、少なくとも１つのフェムトセルのセットのためのプレゼンスドメインにおける前記情報の非同期通信を可能にする前記プレゼンスドメインに前記指定された移動局が存在するときに前記情報が前記指定された移動局に配信されるべきであるという指示を与えるようにさらに構成された処理システムと、ここにおいて、前記セットは、マクロセルおよびコアネットワークを備えるセルラネットワークに接続され、前記プレゼンスドメインに存在することは、前記セットのフェムトカバレージエリアに存在することを備え、ここにおいて、前記情報の配信は非セルラーアクセスを用いて行われる、
前記指定された移動局が前記プレゼンスドメインに存在するときに前記指定された移動局に配信するための前記情報を前記指定された移動局が前記プレゼンスドメインに存在しない間記憶するように構成されたサーバに、前記指定された移動局が前記プレゼンスドメインに入る前に、前記情報および前記指示を別の移動局から送るように構成された送信機と
を備える装置。
【請求項７】
前記指示を前記与えることは、前記指定された移動局が前記プレゼンスドメインに関連付けられていると判断することを備える、請求項６に記載の装置。
【請求項８】
前記指示を前記与えることは、前記指定された移動局が前記プレゼンスドメインに存在するまで、前記情報が前記指定された移動局に配信されるべきではないと判断することを備える、請求項６に記載の装置。
【請求項９】
前記サーバは、前記セットのフェムトセルを備える、請求項６に記載の装置。
【請求項１０】
前記サーバは、セルラーコアネットワークエンティティを備える、請求項６に記載の装置。
【請求項１１】
通信のための装置であって、
情報を受信するように指定された、指定された移動局に配信されるべき前記情報を与えるための手段と、
少なくとも１つのフェムトセルのセットのためのプレゼンスドメインにおける前記情報の非同期通信を可能にする前記プレゼンスドメインに前記指定された移動局が存在するときに前記情報が前記指定された移動局に配信されるべきであるという指示を与えるための手段と、ここにおいて、前記セットは、マクロセルおよびコアネットワークを備えるセルラネットワークに接続され、前記プレゼンスドメインに存在することは、前記セットのフェムトカバレージエリアに存在することを備え、ここにおいて、前記情報の配信は非セルラーアクセスを用いて行われる、
前記指定された移動局が前記プレゼンスドメインに存在するときに前記指定された移動局に配信するための前記情報を前記指定された移動局が前記プレゼンスドメインに存在しない間記憶するように構成されたサーバに、前記指定された移動局が前記プレゼンスドメインに入る前に、前記情報および前記指示を別の移動局から送るための手段と
を備える装置。
【請求項１２】
コードを備えるコンピュータプログラムであって、前記コードは、
情報を受信するように指定された、指定された移動局に配信されるべき前記情報を与えることと、
少なくとも１つのフェムトセルのセットのためのプレゼンスドメインにおける前記情報の非同期通信を可能にする前記プレゼンスドメインに前記指定された移動局が存在するときに前記指定された移動局に前記情報が配信されるべきであるという指示を与えることと、ここにおいて、前記セットは、マクロセルおよびコアネットワークを備えるセルラネットワークに接続され、前記プレゼンスドメインに存在することは、前記セットのフェムトカバレージエリアに存在することを備え、ここにおいて、前記情報の配信は非セルラーアクセスを用いて行われる、
前記指定された移動局が前記プレゼンスドメインに存在するときに前記指定された移動局に配信するための前記情報を前記指定された移動局が前記プレゼンスドメインに存在しない間記憶するように構成されたサーバに、前記指定された移動局が前記プレゼンスドメインに入る前に、前記情報および前記指示を別の移動局から送ることと
をコンピュータに行わせる、コンピュータプログラム。
【請求項１３】
通信の方法であって、
移動局において、プレゼンスドメインに関連付けられたフェムトセルとの通信を確立することと、ここにおいて、前記フェムトセルはセルラネットワークに接続される、
前記通信を前記確立したことに基づいて前記移動局が前記プレゼンスドメインに存在すると判断することと、
前記判断の結果として、前記移動局から、前記移動局に配信されるべき情報についての要求を送ることと、
前記移動局が前記プレゼンスドメインに存在するときに前記移動局に配信するための前記情報を前記移動局が前記プレゼンスドメインに存在しない間記憶するように構成されたサーバから、前記要求を送った結果として、前記情報を受信することと、ここにおいて、前記情報は非セルラーアクセスを用いて受信される、
を備える方法。
【請求項１４】
前記通信を前記確立することは、前記フェムトセルにおいて前記移動局を登録することを備える、請求項１３に記載の方法。
【請求項１５】
前記受信された情報に基づき、前記移動局において指示を生成することをさらに備える、請求項１３に記載の方法。
【請求項１６】
前記情報は、前記プレゼンスドメインのプレゼンスサーバから受信される、請求項１３に記載の方法。
【請求項１７】
通信のための装置であって、
前記装置において、プレゼンスドメインに関連付けられたフェムトセルとの通信を確立し、前記通信を前記確立したことに基づいて前記装置が前記プレゼンスドメインに存在すると判断し、前記判断の結果として、移動局から、情報についての要求を送るように構成された処理システムと、
前記装置が前記プレゼンスドメインに存在するときに前記装置に配信するための前記情報を前記装置が前記プレゼンスドメインに存在しない間記憶するように構成されたサーバから、前記情報を、前記要求を送った結果として、受信するように構成された受信機と
を備え、
ここにおいて、前記フェムトセルはセルラネットワークに接続される、および、ここにおいて、前記情報は非セルラーアクセスを用いて受信される、
装置。
【請求項１８】
前記通信を前記確立することは、前記フェムトセルにおいて前記装置を登録することを備える、請求項１７に記載の装置。
【請求項１９】
前記受信された情報に基づき、前記装置において指示を生成するように構成されたユーザインターフェースをさらに備える、請求項１７に記載の装置。
【請求項２０】
前記情報は、前記プレゼンスドメインのプレゼンスサーバから受信される、請求項１７に記載の装置。
【請求項２１】
通信のための装置であって、
前記装置において、プレゼンスドメインに関連付けられたフェムトセルとの通信を確立するための手段と、ここにおいて、前記フェムトセルはセルラネットワークに接続される、
前記通信を前記確立したことに基づいて前記装置が前記プレゼンスドメインに存在すると判断するための手段と、
前記判断の結果として、移動局から、情報についての要求を送るための手段と、
前記装置が前記プレゼンスドメインに存在するときに前記装置に配信するための前記情報を前記装置が前記プレゼンスドメインに存在しない間記憶するように構成されたサーバから前記情報を、前記要求を送った結果として、受信するための手段と、ここにおいて、前記情報は非セルラーアクセスを用いて受信される、
を備える装置。
【請求項２２】
コードを備えるコンピュータプログラムであって、前記コードは、
移動局において、プレゼンスドメインに関連付けられたフェムトセルとの通信を確立することと、ここにおいて、前記フェムトセルはセルラネットワークに接続される、
前記通信を前記確立したことに基づいて前記移動局が前記プレゼンスドメインに存在すると判断することと、
前記判断の結果として、情報についての要求を送ることと、
装置が前記プレゼンスドメインに存在するときに前記装置に配信するための前記情報を前記装置が前記プレゼンスドメインに存在しない間記憶するように構成されたサーバから、前記情報を、前記要求を送った結果として、受信することと、ここにおいて、前記情報は非セルラーアクセスを用いて受信される、
をコンピュータに行わせる、コンピュータプログラム。
【発明の詳細な説明】
【技術分野】
【０００１】
[0001]本出願は、一般にワイヤレス通信に関し、より詳細には、限定はしないが、プレゼンスベース通信（presence-based communication）に関する。
【背景技術】
【０００２】
序論
[0002]ワイヤレス通信ネットワークは、一般に、画定された地理的エリア内のユーザに様々なタイプのサービス（たとえば、音声、データ、マルチメディアサービスなど）を提供するために、その地理的エリアにわたって展開されている。典型的な実装形態では、ネットワークによってサービスされる地理的エリア内で動作しているアクセス端末（たとえば、セルフォン）にワイヤレス接続性を与えるために、（たとえば、様々なセルに対応する）アクセスポイントがネットワーク全体にわたって分散される。
【０００３】
[0003]高速なマルチメディアデータサービスの需要が急速に増大するにつれて、向上した性能をもつ効率的でロバスト（robust）な通信システムを実装することが課題となっている。従来のネットワークアクセスポイント（たとえば、マクロアクセスポイント）を補うために、小カバレージアクセスポイントを展開して（たとえば、ユーザの自宅中に設置して）、よりロバストな屋内ワイヤレスカバレージまたは他のカバレージをアクセス端末に与え得る。そのような小カバレージアクセスポイントは、たとえば、フェムトアクセスポイント、フェムトセル、ホームノードＢ、ホームｅノードＢ、またはアクセスポイント基地局と呼ばれることがある。一般に、そのような小カバレージアクセスポイントは、ＤＳＬルータまたはケーブルモデムを介してインターネットおよびモバイル事業者のネットワークに接続される。便宜上、以下の説明では、小カバレージアクセスポイントをフェムトセルまたはフェムトアクセスポイントと呼ぶことがある。
【０００４】
[0004]従来、フェムトセルは、アクセス端末が、セルラーネットワークに接続されたエンティティと通信すること、またはローカルエリアネットワーク（ＬＡＮ）に接続されたエンティティに通信することを可能にする。前者の場合、アクセス端末トラフィックは、セルラーネットワークバックホール（backhaul）を介してコアネットワークエンティティにルーティングされ、コアネットワークエンティティは、次いで、そのトラフィックを指定された宛先に転送する。後者の場合、アクセス端末インターネットプロトコル（ＩＰ）トラフィックは、フェムトセルに接続されたＬＡＮを介して、そのＬＡＮに接続された他のＩＰエンティティにルーティングされる。
【発明の概要】
【０００５】
[0005]本開示のいくつかの例示的な態様の概要について以下で説明する。本概要は、読者の便宜のために与えられるものであり、本開示の幅を完全に定義するとは限らない。便宜上、本明細書では、本開示の単一の態様または複数の態様を指すために、いくつかの態様という用語を使用することがある。
【０００６】
[0006]本開示は、いくつかの態様では、ユーザ（たとえば、ユーザのアクセス端末）がプレゼンスドメインに存在するかどうかに基づいて、ある通信機能が与えられる、プレゼンスベース通信に関する。この機能は、たとえば、プレゼンスドメインに存在するアクセス端末間の通信を可能にすることと、アクセス端末がプレゼンスドメインに存在するときにのみ、キューイングされた情報をアクセス端末に配信することとを含む。
【０００７】
[0007]いくつかの態様では、プレゼンスドメインは、１つまたは複数のフェムトセルのセットに対応する。たとえば、プレゼンスドメインは、単一のフェムトセルのために定義されるか、またはいくつかのフェムトセルのために定義され得る。単一のフェムトセルの場合、プレゼンスドメインにおけるアクセス端末のプレゼンスは、アクセス端末がフェムトセルと通信することができるかどうかに基づき得る。複数のフェムトセルの場合、プレゼンスドメインにおけるアクセス端末のプレゼンスは、アクセス端末がフェムトセルのうちのいずれか１つと通信することができるかどうかに基づき得る。
【０００８】
[0008]本明細書で教示する技法は、フェムトセルユーザグループのための同期通信と、フェムトセルユーザ（またはユーザグループ）のための非同期通信とを可能にする。前者の場合、１つまたは複数のフェムトセルは、（１つまたは複数の）フェムトセルのカバレージ中に複数のユーザがいるとき、これらのユーザのためにホーム環境またはエンタープライズ環境（たとえば、会社、学校、および病院などの複合施設）におけるインターコムのような同期通信を行う。有利には、この通信は、いくつかの実装形態ではコアネットワークを通してルーティングされない。後者の場合、ユーザがフェムトセルのカバレージに入ると、ユーザのための非同期通信が行われる。ここで、非同期通信情報の送信者は、ターゲットユーザがフェムトセルのカバレージ外にいるときに通信を開始することができる。次いで、そのユーザがフェムトセルカバレージ内に入って初めて、情報がユーザに配信される。
【０００９】
[0009]このプレゼンスベース通信を可能にするために、アクセス端末（たとえば、ハンドセット）、フェムトセル、およびコアネットワーク要素は、ユーザグループのメンバー（たとえば、プレゼンスドメインのメンバー）に関係するプレゼンス情報を共有する。たとえば、メンバーがプレゼンスドメインにおいてプレゼンスを最近確立したかどうかを示すプレゼンス情報が、プレゼンスドメインに関連付けられた様々なエンティティに配信される。これらのエンティティは、典型的な実装形態では、ユーザのアクセス端末と、プレゼンスドメインのフェムトセルと、プレゼンスドメインのプレゼンスサーバとを含む。
【００１０】
[0010]例示的な実装形態では、フェムトセルユーザが、フェムトセルカバレージ中にいる間にセルラーネットワークに登録したとき、フェムトセルは、ユーザが、フェムトセルに関連するロケーション（たとえば、レジデンスまたはエンタープライズ）に存在することを反映するために、ユーザのプレゼンス情報を更新する。登録成功後に、ハンドセットは、それのローカルに記憶されたプレゼンス情報を更新し、フェムトセルプレゼンスドメインにおけるハンドセットのプレゼンスに関して登録ユーザに視覚フィードバックを与える。フェムトセルユーザがフェムトセルカバレージを出て、マクロネットワークに登録したとき、マクロネットワークは、そのユーザがフェムトセルカバレージを出たことをフェムトセルに通知する。したがって、マクロネットワーク上での登録後に、ハンドセットは、フェムトセルからの離脱を示すためにそれの視覚フィードバックを更新する。ユーザ、ハンドセット、フェムトセル、およびコアネットワーク要素はまた、適用可能な場合、対応するユーザグループのメンバーのすべてに所与のユーザについてのプレゼンス情報を提示するために互いに協働する。いくつかの実装形態では、ユーザは、ユーザグループのメンバーに対するパーミッションを構成することによって、ユーザのプレゼンス情報の利用可能性を制御する。
【００１１】
[0011]プレゼンスベース通信の様々な態様について本明細書で説明する。いくつかの例を以下に示す。いくつかの実装形態では、プレゼンスベース通信は、アクセス端末が、少なくとも１つのフェムトセルのセットのために定義されたプレゼンスドメインに存在することを判断することであって、判断がアクセス端末についてのプレゼンス情報に基づく、判断することと、アクセス端末がプレゼンスドメインに存在するという判断の結果として、セットのフェムトセルにおいてアクセス端末のための通信を可能にすることとを備える。いくつかの実装形態では、プレゼンスベース通信は、アクセス端末のロケーションを示す情報を受信することと、受信した情報に基づいて、アクセス端末についてのプレゼンス情報を維持することであって、プレゼンス情報は、アクセス端末が、少なくとも１つのフェムトセルのセットのために定義されたプレゼンスドメインに存在するかどうかを示す、維持することと、プレゼンス情報をプレゼンスドメインに関連付けられた少なくとも１つのエンティティに送ることとを備える。いくつかの実装形態では、プレゼンスベース通信は、アクセス端末がアクセスポイントに登録したことを判断することと、アクセス端末についてのプレゼンス情報を維持するプレゼンスサーバを識別することであって、プレゼンス情報は、アクセス端末が、少なくとも１つのフェムトセルのセットのために定義されたプレゼンスドメインに存在するかどうかを示す、識別することと、登録情報をプレゼンスサーバに送ることであって、登録情報は、アクセス端末がアクセスポイントに登録したことを示す、送ることとを備える。いくつかの実装形態では、プレゼンスベース通信は、アクセス端末に配信されるべきである情報を記憶することと、アクセス端末が、少なくとも１つのフェムトセルのセットのために定義されたプレゼンスドメインに存在することを判断することと、アクセス端末がプレゼンスドメインに存在するという判断の結果として、記憶された情報をアクセス端末に配信することとを備える。いくつかの実装形態では、プレゼンスベース通信は、アクセス端末に配信されるべき情報を与えることと、アクセス端末が少なくとも１つのフェムトセルのセットのためのプレゼンスドメインに存在する場合、情報がアクセス端末に配信されるべきであるという指示を与えることと、情報をアクセス端末に配信すべきであるエンティティに情報と指示とを送ることとを備える。
【００１２】
[0012]本開示のこれらおよび他の例示的な態様について、以下の発明を実施するための形態および添付の特許請求の範囲、ならびに添付の図面において説明する。
【図面の簡単な説明】
【００１３】
【図１】[0013]プレゼンスベース通信を行う通信システムの一実施形態のいくつかの例示的な態様を示す簡略ブロック図。
【図２】[0014]プレゼンスベース通信動作の一実施形態のいくつかの例示的な態様を示すフローチャート。
【図３】[0014]プレゼンスベース通信動作の一実施形態のいくつかの例示的な態様を示すフローチャート。
【図４】[0015]プレゼンスドメインにおけるアクセス端末間の通信をサポートする通信システムのいくつかの例示的な態様を示す簡略ブロック図。
【図５】[0016]プレゼンス関係情報を与えることに関係する動作の一実施形態のいくつかの例示的な態様を示すフローチャート。
【図６】[0017]プレゼンス関係情報を維持することに関係する動作の一実施形態のいくつかの例示的な態様を示すフローチャート。
【図７】[0018]アクセス端末プレゼンスに基づいて通信を可能にすることに関係する動作の一実施形態のいくつかの例示的な態様を示すフローチャート。
【図８】[0019]プレゼンスベース情報配信を行う通信システムのいくつかの例示的な態様を示す簡略ブロック図。
【図９】[0020]プレゼンスベース配信のための情報を与えることに関係する動作の一実施形態のいくつかの例示的な態様を示すフローチャート。
【図１０】[0021]アクセス端末プレゼンスに基づいて情報を配信することに関係する動作の一実施形態のいくつかの例示的な態様を示すフローチャート。
【図１１】[0022]通信ノードにおいて採用され得る構成要素のいくつかの例示的な態様の簡略ブロック図。
【図１２】[0023]ワイヤレス通信システムの簡略図。
【図１３】[0024]フェムトノードを含むワイヤレス通信システムの簡略図。
【図１４】[0025]ワイヤレス通信のためのカバレージエリアを示す簡略図。
【図１５】[0026]通信構成要素のいくつかの例示的な態様の簡略ブロック図。
【図１６】[0027]本明細書で教示するプレゼンスベース通信を行うように構成された装置のいくつかの例示的な態様の簡略ブロック図。
【図１７】[0027]本明細書で教示するプレゼンスベース通信を行うように構成された装置のいくつかの例示的な態様の簡略ブロック図。
【図１８】[0027]本明細書で教示するプレゼンスベース通信を行うように構成された装置のいくつかの例示的な態様の簡略ブロック図。
【図１９】[0027]本明細書で教示するプレゼンスベース通信を行うように構成された装置のいくつかの例示的な態様の簡略ブロック図。
【図２０】[0027]本明細書で教示するプレゼンスベース通信を行うように構成された装置のいくつかの例示的な態様の簡略ブロック図。
【図２１】[0027]本明細書で教示するプレゼンスベース通信を行うように構成された装置のいくつかの例示的な態様の簡略ブロック図。
【発明を実施するための形態】
【００１４】
[0028]慣例により、図面に示す様々な特徴は一定の縮尺で描かれていないことがある。したがって、様々な特徴の寸法は、わかりやすいように任意に拡大または縮小されることがある。さらに、図面のいくつかは、わかりやすいように簡略化されることがある。したがって、図面は、所与の装置（たとえば、デバイス）または方法の構成要素のすべてを示しているとは限らないことがある。最後に、明細書および図の全体にわたって、同じ特徴を示すために同じ参照番号が使用されることがある。
【００１５】
[0029]本開示の様々な態様について以下で説明する。本明細書の教示は多種多様な形態で実施され得ること、および本明細書で開示されている特定の構造、機能、またはその両方は代表的なものにすぎないことは明らかであろう。本明細書の教示に基づいて、本明細書で開示する態様は他の態様とは無関係に実装され得ること、およびこれらの態様のうちの２つ以上は様々な方法で組み合わせられ得ることを、当業者なら諒解されたい。たとえば、本明細書に記載する態様をいくつ使用しても、装置は実装され得、または方法は実施され得る。さらに、本明細書に記載する態様のうちの１つまたは複数に加えて、あるいはそれら以外の他の構造、機能、または構造および機能を使用して、そのような装置が実装され得るか、またはそのような方法が実施され得る。さらに、１つの態様は、１つの請求項の少なくとも１つの要素を備え得る。
【００１６】
[0030]図１に、例示的な通信システム１００（たとえば、通信ネットワークの一部分）のいくつかのノードを示す。例示のために、本開示の様々な態様について、互いに通信する１つまたは複数のアクセス端末、アクセスポイント、およびネットワークエンティティのコンテキストで説明する。ただし、本明細書の教示は、他の用語を使用して参照される他のタイプの装置または他の同様の装置に適用可能であり得ることを諒解されたい。たとえば、様々な実装形態では、アクセスポイントは、基地局、ノードＢ、ｅノードＢ、フェムトセルなどと呼ばれることがあり、または基地局、ノードＢ、ｅノードＢ、フェムトセルなどとして実装されることがあり、アクセス端末は、ユーザ機器（ＵＥ）、移動局、ユーザ、ハンドセットなどと呼ばれることがあり、またはユーザ機器（ＵＥ）、移動局、ユーザ、ハンドセットなどとして実装されることがある。
【００１７】
[0031]システム１００中のアクセスポイントは、システム１００のカバレージエリア内に設置され得るか、またはシステム１００のカバレージエリア全体にわたってローミングし得る、１つまたは複数のワイヤレス端末（たとえば、アクセス端末１０２および１０４）に１つまたは複数のサービスへのアクセス（たとえば、ネットワーク接続性）を与える。たとえば、様々な時点において、アクセス端末１０２は、アクセスポイント１０６、アクセスポイント１０８、またはシステム１００中の何らかのアクセスポイント（図示せず）に接続し得る。これらのアクセスポイントの各々は、ワイドエリアネットワーク接続性を可能にするために、（便宜上、ネットワークエンティティ１１０によって表される）１つまたは複数のネットワークエンティティと通信し得る。
【００１８】
[0032]そのようなネットワークエンティティは、たとえば、１つまたは複数の無線および／またはコアネットワークエンティティなど、様々な形態をとり得る。したがって、様々な実装形態では、ネットワークエンティティは、（たとえば、一般にＯＡＭと呼ばれる、運用、アドミニストレーション、管理、およびプロビジョニングエンティティによる）ネットワーク管理、呼制御、セッション管理、モビリティ管理、ゲートウェイ機能、インターワーキング機能、または何らかの他の好適なネットワーク機能のうちの少なくとも１つなどの機能を表し得る。いくつかの態様では、モビリティ管理は、追跡エリア、ロケーションエリア、ルーティングエリア、または何らかの他の好適な技法を使用することによってアクセス端末の現在ロケーションを追跡することと、アクセス端末のページングを制御することと、アクセス端末のためのアクセス制御を行うこととに関する。また、２つ以上のネットワークエンティティがコロケート（co-located）され得、および／または２つ以上のネットワークエンティティがネットワーク全体にわたって分散され得る。
【００１９】
[0033]アクセス端末１０２および１０４ならびに、場合によっては、１つまたは複数の他のアクセス端末（図示せず）は、アクセスポイント１０６（たとえば、フェムトセル）と、場合によっては、１つまたは複数の他のアクセスポイント（図示せず）とを含むプレゼンスドメインに関連付けられる。実際には、所与のアクセス端末は１つまたは複数のプレゼンスドメインに関連付けられ得、所与のアクセスポイントは１つまたは複数のプレゼンスドメインに関連付けられ得る。例示のために、以下の説明では、単一のプレゼンスドメインを伴うシナリオについて主に説明する。ただし、開示する概念は、複数のプレゼンスドメインを採用するシナリオに適用可能であることを諒解されたい。
【００２０】
[0034]プレゼンスベース通信は、プレゼンスドメインに関連付けられたアクセス端末がプレゼンスドメインにある場合、そのアクセス端末のために可能にされる。典型的な実装形態では、プレゼンスは、アクセス端末がプレゼンスドメインのアクセスポイントと通信することができるかどうかに基づく。
【００２１】
[0035]いくつかの実装形態では、プレゼンスドメインに存在するアクセス端末のためにプレゼンスベース同期通信が行われる。たとえば、フェムトセルのカバレージ中の２人のユーザのそれぞれのアクセス端末によって提示（たとえば、表示）されたプレゼンス情報を見た後に、それらのユーザは、プレゼンスドメインの（１つまたは複数の）フェムトセルを使用してインターコムのような通信を確立することを選択し得る。ここで、プレゼンスドメインの（１つまたは複数の）フェムトセルは、プレゼンス情報を使用して、通信セッションに参加することを望むユーザ全員がプレゼンスドメインにいるかどうかを判断し得る。そうである場合、（１つまたは複数の）フェムトセルは、バックホールを介してトラフィック（たとえば、ボイスサービス、データサービス、メッセージングサービス）をコアネットワーク要素にルーティングすることなしに、ユーザ間でトラフィックを直接ルーティングし得る。この場合、（１つまたは複数の）フェムトセルとコアネットワークとは、依然として、認証、許可、または他の目的のためにシグナリング情報を交換し得る。このようにしてトラフィックをルーティングすることを可能にするために、プレゼンスドメインの各フェムトセルは、トランスコーディングの必要なしに通信エンドポイントを直接接続するための機能を含み得る。
【００２２】
[0036]いくつかの実装形態では、プレゼンスドメインに存在するアクセス端末のためにプレゼンスベース非同期通信が行われる。ここで、フェムトセルのカバレージ中でのみ適切である、いくつかのタイプの通信が定義される。これらのタイプの通信の例としては、家族が自宅にいるときの家族のためのリマインダ、自宅所有者が自宅に入ったときのホームオートメーションデバイスからのルーチンステータスメッセージ、職場で被雇用者によって使用される情報などがある。この通信は、通信が所与の１人または複数のユーザに（たとえば、（１人または複数の）ユーザの（１つまたは複数の）アクセス端末に）配信されるべきであるロケーション（たとえば、プレゼンスドメイン）を識別する配信タグと併せて使用される（たとえば、情報が配信タグとともに送られる）ものと定義される。受信者が、指定されたロケーション（たとえば、プレゼンスドメイン）に存在しないとき、フェムトセル、コアネットワークエンティティ、または何らかの他の好適なエンティティは、通信されるべき情報をキャッシュする。次いで、ユーザが指定されたロケーションに入ったとき、キャッシングエンティティは、これが発生したことを判断し、情報をユーザに配信する。
【００２３】
[0037]プレゼンスベース通信を可能にするために、プレゼンスドメインに関連付けられたエンティティは、どのアクセス端末がプレゼンスドメインに存在するかを示すプレゼンス情報を維持および交換する。図１において、アクセス端末１０２、アクセス端末１０４、およびアクセスポイント１０６は、それぞれプレゼンス情報１１２、１１４、および１１６を維持する。同様のプレゼンス情報が、プレゼンスドメインに関連付けられた他のアクセス端末およびアクセスポイントによって維持される。そのようなプレゼンス情報の使用によって、これらのエンティティの各々は、プレゼンスドメインにおいて通信することができるアクセス端末を識別することができる。したがって、このプレゼンス情報は、より効率的な通信（たとえば、上記で説明した同期および／または非同期通信）を可能にするために、プレゼンスドメインに関連付けられたユーザ、アクセス端末、およびアクセスポイントによって使用され得る。
【００２４】
[0038]いくつかの実装形態では、プレゼンスドメインに関連付けられたエンティティのためにプレゼンス情報の配信を管理するプレゼンスサーバが、プレゼンスドメインのために採用される。ここで、エンティティが新しい（たとえば、変化した）プレゼンス関係（presence-related）情報を収集したときはいつでも、そのエンティティは情報をプレゼンスサーバに送り、プレゼンスサーバは、プレゼンスドメインのエンティティにおけるプレゼンス情報を更新する。
【００２５】
[0039]プレゼンスサーバは、システム１００中の様々なエンティティにおいて実装され得る。場合によっては、プレゼンスサーバは、プレゼンスドメインのアクセスポイントにおいて実装される。図１は、アクセスポイント１０６が、関連付けられたアクセス端末のためのプレゼンスベース通信を確立し、場合によってはプレゼンスサーバ機能を与える、プレゼンス処理１１８を含む例を示している。場合によっては、プレゼンスサーバはコアネットワークエンティティにおいて実装される。たとえば、図１のネットワークエンティティ１１０は、場合によってはプレゼンスサーバ１２０を含む。
【００２６】
[0040]いくつかの実装形態では、プレゼンスステータスの変化は、アクセス端末がシステム１００においてどこに登録したかに基づいて識別される。たとえば、典型的な実装形態では、プレゼンスドメインのフェムトセルへのアクセス端末の登録は、アクセス端末がプレゼンスドメインに存在することを示す。逆に、何らかの他のアクセスポイント（たとえば、マクロセル）へのアクセス端末の登録は、アクセス端末がプレゼンスドメインに存在しないことを示し得る。
【００２７】
[0041]（破線１２２によって表されるように）アクセス端末１０２がアクセスポイント１０６に登録するシナリオでは、プレゼンス処理１１８は、アクセス端末１０２が、アクセスポイント１０６を含むプレゼンスドメイン中に現在あることを示すためにプレゼンス情報１１６を更新する。プレゼンス情報１１６を更新することと併せて、プレゼンス処理１１８は、アクセス端末１０２についてのプレゼンスの変化をプレゼンスドメインの他のエンティティ（たとえば、アクセス端末１０４）に通知するために、それらのエンティティにプレゼンス情報を送り得る。
【００２８】
[0042]図１において、アクセスポイント１０８（たとえば、マクロセル）は、システム１００において定義されたいずれかのプレゼンスドメインに関連付けられたエンティティにプレゼンス関係情報を与えるプレゼンス処理１２４を含む。ここで、場合によっては、アクセス端末１０２は、アクセス端末１０２がアクセスポイント１０６のカバレージを出ることをアクセスポイント１０６に通知しないことがあることを諒解されたい。したがって、プレゼンス処理１２４は、アクセス端末１０２がプレゼンスドメインを出たことをプレゼンスドメインエンティティに通知するために使用される情報を与え得る。破線１２６によって表されるように、ある時点において、アクセスポイント１０８はアクセス端末１０２から登録メッセージを受信する。破線１２８によって表されるように、この登録メッセージを受信した結果として、プレゼンス処理１２４は、アクセス端末１０２が関連付けられたプレゼンスドメインのためのプレゼンスサーバにロケーション情報（たとえば、登録情報）を送る。図１の例では、このプレゼンスドメインはアクセスポイント１０６にも関連付けられている。
【００２９】
[0043]プレゼンスドメインのためのプレゼンスサーバが（たとえば、セルラーコアネットワーク内の）ネットワークエンティティ１１０中に展開される一実装形態では、ロケーション情報１２８はプレゼンスサーバ１２０に送られる。プレゼンスサーバ１２０はまた、（たとえば、プレゼンスドメインに関連付けられた他のアクセス端末の登録に関して）システム１００中の他のエンティティからプレゼンス関係情報を受信する。したがって、プレゼンスサーバ１２０は、どのアクセス端末がプレゼンスドメインに存在するかを追跡するプレゼンス情報１３０を維持する。プレゼンスサーバ１２０はまた、プレゼンスドメインの他のエンティティのすべてが最新のプレゼンス情報を有するように、（たとえば、破線１３２によって表されるように）これらのエンティティにプレゼンス情報を送る。
【００３０】
[0044]プレゼンスサーバが、ネットワークエンティティ１１０の代わりに（たとえば、プレゼンス処理１１８として）アクセスポイント１０６において展開される一実装形態では、ロケーション情報１２８は、（たとえば、破線１３２によって表されるように）ネットワークエンティティ１１０によってこのプレゼンスサーバに転送される。上述したことと同様にして、プレゼンス処理１１８は、システム１００中の他のエンティティからプレゼンス関係情報を受信し、それによって、どのアクセス端末がプレゼンスドメインに存在するかを追跡するためにプレゼンス情報１１６を維持する。また、プレゼンス処理１１８は、プレゼンスドメインの他のエンティティ（たとえば、プレゼンスドメインに関連付けられたフェムトセルおよびアクセス端末）にプレゼンス情報を送る。
【００３１】
[0045]次に、プレゼンス情報を維持することと、プレゼンスベース通信を可能および不能にすることとに関係する例示的な動作について、図２および図３のフローチャートに関してより詳細に説明する。例示のために、これらの動作について、プレゼンスドメインに関連付けられた各アクセス端末がプレゼンスドメインに存在するかどうかを追跡するプレゼンスサーバを採用するシステムのコンテキストで説明する。たとえば、プレゼンスサーバは、システム中のアクセスポイントからアクセス端末登録情報を受信し、その登録情報を使用して、アクセス端末がプレゼンスドメインに存在するか否かを判断し、それに応じて、プレゼンスサーバによって記憶されたプレゼンス情報を更新し、次いで、更新されたプレゼンス情報をプレゼンスドメインのメンバー（たとえば、アクセス端末およびアクセスポイント）のすべてに送り得る。このようにして、プレゼンスドメインメンバーのすべては、メンバーアクセス端末の現在ステータスに関して通知され続ける。ただし、本明細書の教示は、プレゼンス関係情報を管理するための集中型プレゼンスサーバを採用しない実装形態にも適用可能であることを諒解されたい。たとえば、いくつかの実装形態では、プレゼンスドメインのエンティティのすべてが、これらのエンティティのうちのいずれか１つによって学習されたプレゼンス関係情報を共有するように協働し得る。
【００３２】
[0046]便宜上、図２および図３の動作（あるいは本明細書で説明または教示する他の動作）については、特定の構成要素（たとえば、図１、図４、図８、または図１１の構成要素）によって実行されるものとして説明することがある。ただし、これらの動作は、他のタイプの構成要素によって実行され得、異なる数の構成要素を使用して実行され得ることを諒解されたい。また、本明細書で説明する動作のうちの１つまたは複数は、所与の実装形態では採用されないことがあることを諒解されたい。
【００３３】
[0047]図２のブロック２０２によって表されるように、ある時点において、１つまたは複数のアクセス端末（たとえば、ユーザデバイス）が、１つまたは複数のアクセスポイントのために定義されたプレゼンスドメインに関連付けられる。したがって、場合によっては、ブロック２０２の動作は、単一のアクセス端末を単一のフェムトセルに関連付けることを伴う。場合によっては、ブロック２０２の動作は、単一のアクセス端末をいくつかのフェムトセル（たとえば、企業、会社、学校、ショッピングセンター、空港などの共通エンティティのために展開されたフェムトセル）の定義されたセットに関連付けることを伴う。場合によっては、ブロック２０２の動作は、いくつかのアクセス端末（たとえば、被雇用者、家族、学生など、人々の定義されたグループに関連付けられたアクセス端末）を関連付けることを伴う。場合によっては、ブロック２０２の動作は、いくつかのアクセス端末をいくつかのフェムトセルの定義されたセットに関連付けることを伴う。
【００３４】
[0048]プレゼンスドメインに関連付けられることに関連して、ユーザは、ユーザのプレゼンス情報がプレゼンスドメインの他のメンバー（たとえば、ユーザグループの他のメンバー）にとって利用可能であるかどうかを制御し得る。たとえば、プレゼンス情報が送られることを許可されるユーザを指定する１つまたは複数のパーミッション変数がこの時点で設定され得る。
【００３５】
[0049]ブロック２０４によって表されるように、プレゼンスサーバが、プレゼンスドメインのメンバーについてのプレゼンス情報を維持する。このプレゼンス情報は、プレゼンスドメインに関連付けられた各アクセス端末について、そのアクセス端末がプレゼンスドメインに存在するかどうかを示す。本明細書で使用する、プレゼンスドメインにおけるアクセス端末のプレゼンスは、アクセス端末がプレゼンスドメインにおいて通信するために利用可能であることを意味する。したがって、アクセス端末のプレゼンスはまた、アクセス端末のロケーションの何らかの指示（たとえば、特定のアクセスポイントの近く）を与える。
【００３６】
[0050]プレゼンス情報は様々な形態をとり得る。場合によっては、プレゼンス情報は、所与のアクセス端末がプレゼンスドメインに存在するか否かの指示を単に備える。場合によっては、プレゼンス情報はアクセス端末の物理的ロケーション（たとえば、アクセス端末の現在の地理的座標、アクセス端末が通信しているアクセスポイント（たとえば、セル）の識別子）を識別する。場合によっては、プレゼンス情報はアクセス端末の論理ロケーション（たとえば、アクセス端末がユーザの自宅にあるのか職場にあるのか）を識別する。場合によっては、プレゼンス情報は、アクセス端末が、プレゼンスドメインに関連付けられた１つまたは複数のアクセスポイントのセットのアクセスポイント（たとえば、フェムトセル）と通信しているかどうかを示す。場合によっては、プレゼンス情報は、アクセス端末が、プレゼンスドメインに関連付けられていないアクセスポイント（たとえば、マクロセル）と通信しているかどうかを示す。
【００３７】
[0051]プレゼンスサーバは様々な方法で実装され得る。典型的な実装形態では、プレゼンスサーバは、場合によっては、他のエンティティからプレゼンス関係情報（たとえば、アクセス端末のロケーション）を受信し、この受信した情報または（たとえば、受信した情報から導出された）他のプレゼンス関係情報をデータメモリ（たとえば、データベース）中に維持し、場合によっては、プレゼンス関係情報を他のエンティティに送る機能を備える。典型的な場合には、プレゼンスサーバは、他のネットワーク機能を与えるネットワークエンティティ（たとえば、アクセスポイント、コアネットワークエンティティ）において実装される。他の場合には、プレゼンスサーバはスタンドアロン処理エンティティとして実装される。
【００３８】
[0052]上述のように、プレゼンスサーバは様々なロケーションにおいて展開され得る。いくつかの実装形態では、プレゼンスサーバはアクセスポイントにおいて実装される。たとえば、単一のアクセスポイントがプレゼンスドメインに関連付けられたとき、プレゼンスサーバはそのアクセスポイントにおいて実装され得る。別の例として、アクセスポイントのセットがプレゼンスドメインに関連付けられたとき、プレゼンスサーバは、それらのアクセスポイントのうちの１つまたは複数において実装され得る。いくつかの実装形態では、プレゼンスサーバはコアネットワークエンティティにおいて実装される。たとえば、プレゼンスサーバは、フェムトセル管理サーバ（ＦＭＳ）、フェムトセルゲートウェイ（ＦＧＷ）、ＯＡＭなどにおいて実装され得る。
【００３９】
[0053]ブロック２０６によって表されるように、ある時点において、アクセス端末のプレゼンスステータスが変化する。たとえば、アクセス端末は、プレゼンスドメインにおいてプレゼンスを確立するかまたはプレゼンスドメインを出得る。
【００４０】
[0054]ステータスのこの変化は様々な方法で示され得る。場合によっては、ステータスの変化は、アクセス端末の登録によって示される。たとえば、プレゼンスの確立は、アクセス端末が、プレゼンスドメインのメンバーであるアクセスポイント（たとえば、フェムトセル）のカバレージに入るとき、アクセス端末がそのアクセスポイントに登録することによって示され得る。逆に、プレゼンスの終了は、アクセス端末が、プレゼンスドメインのメンバーであるアクセスポイントのカバレージを出るとき、アクセス端末が、プレゼンスドメインのメンバーでないアクセスポイント（たとえば、マクロセル）に登録することによって示され得る。
【００４１】
[0055]ブロック２０８によって表されるように、ブロック２０６におけるアクセス端末についてのプレゼンスステータスの変化の結果として、アクセス端末についてのプレゼンス情報がプレゼンスサーバに与えられる。典型的な場合には、アクセス端末と通信しているアクセスポイントが、アクセス端末に関するロケーション情報（たとえば、登録情報）をプレゼンスサーバに送る。たとえば、アクセス端末がアクセスポイント（たとえば、フェムトセルまたはマクロセル）に登録したことに応答して、アクセスポイントは、（たとえば、セルに関連付けられた識別子によって示される）アクセス端末がどこに登録したかの指示を与える登録情報をプレゼンスサーバに送り得る。
【００４２】
[0056]図３のブロック２１０によって表されるように、アクセス端末のプレゼンスステータスの変化に関する情報を受信すると、プレゼンスサーバは、そのアクセス端末についてのプレゼンス情報を更新する。たとえば、上記で説明したように、プレゼンスサーバは、アクセス端末がプレゼンスドメインに存在するか否かを指定する指示を設定するか、またはプレゼンスサーバによって（たとえば、プレゼンスサーバにおいて）維持される何らかの他のタイプの情報を変更し得る。
【００４３】
[0057]ブロック２１２によって表されるように、プレゼンスサーバは、更新されたプレゼンス情報をプレゼンスドメインのメンバーに送る。たとえば、プレゼンスサーバは、プレゼンスドメインに関連付けられた各アクセス端末およびアクセスポイントにプレゼンス情報を送り得る。ここで送られるプレゼンス情報は様々な形態をとり得る。場合によっては、プレゼンス情報は、増分形態をとる（たとえば、プレゼンスステータスの変化のみが伝達される）。場合によっては、（たとえば、プレゼンスドメインに関連付けられたすべてのアクセス端末の現在プレゼンスステータスを示す）プレゼンス情報のすべてが送られる。
【００４４】
[0058]ブロック２１４によって表されるように、プレゼンスドメインのメンバーは、プレゼンスサーバから受信したプレゼンス情報に基づいて、それらのそれぞれのローカルに維持されたプレゼンス情報を更新する。たとえば、ディスプレイデバイス上にプレゼンス情報を表示するアクセス端末は、指定されたアクセス端末がプレゼンスドメインに現在存在すること、またはアクセス端末がプレゼンスドメインにもはや存在しないことを示すために、表示された情報を変更する。別の例として、アクセスポイントは、どのアクセス端末がプレゼンスベース通信のために利用可能であるかを示す、アクセスポイントが（たとえば、データベース中に）維持する情報を更新し得る。
【００４５】
[0059]ブロック２１６によって表されるように、次いで、更新されたプレゼンス情報に基づいて、アクセス端末のためのプレゼンスドメインベース通信を可能または不能にする。様々な実装形態では、この通信は、本明細書で説明するように同期通信または非同期通信を備え得る。
【００４６】
[0060]たとえば、あるアクセス端末がプレゼンスドメインに存在することを判断すると、プレゼンスドメインに存在する別のアクセス端末は、（たとえば、自律的にまたはユーザのアクションによって）そのアクセス端末とのプレゼンスベース通信を開始し得る。逆に、あるアクセス端末がプレゼンスドメインにもはや存在しないことを判断すると、プレゼンスドメインに存在する別のアクセス端末は、（たとえば、自律的にまたはユーザのアクションによって）そのアクセス端末とのプレゼンスベース通信を終了し得る。
【００４７】
[0061]また、複数のアクセス端末がプレゼンスドメインに存在することを判断すると、アクセスポイントは、これらのアクセス端末間のドメインベース通信を可能にし得る。逆に、アクセス端末がプレゼンスドメインにもはや存在しないことを判断すると、アクセスポイントは、そのアクセス端末のためのドメインベース通信を不能にし得る。このドメインベース通信は、有利には、アクセス端末間のトラフィックがコアネットワークを通してルーティングされないようにセットアップされ得る。また、場合によっては、アクセス端末間の通信は代替（たとえば、非セルラー）アクセス技術を介して確立される。上記の例について、図４〜図７に関して以下でより詳細に説明する。
【００４８】
[0062]別の例として、あるアクセス端末がプレゼンスドメインに存在することを判断すると、別のエンティティ（たとえば、アクセスポイントまたは何らかの他のネットワークエンティティ）は、前にキャッシュされた情報をそのアクセス端末に配信し得る。この例について、図８〜図１０に関して以下でより詳細に説明する。
【００４９】
[0063]図４を参照すると、この図は、プレゼンスドメインのフェムトセル４０６が、アクセス端末４０２とアクセス端末４０４の両方がプレゼンスドメインに存在するとき、これらのアクセス端末間に通信を確立するシステム４００の例を示す。たとえば、フェムトセル４０６のプレゼンスベース通信制御４１２は、どのメンバーアクセス端末がプレゼンスドメインに現在存在するかを判断するために、プレゼンスドメインについてのプレゼンス情報（図４に図示せず）を監視し得る。複数のアクセス端末が存在すると、アクセス端末間に（たとえば、アクセス端末のうちの１つまたは複数からの要求の結果として）プレゼンスベース通信が確立され得る。
【００５０】
[0064]有利には、（図４では破線によって表される）この通信のためのトラフィックは、フェムトセル４０６（および、場合によっては、プレゼンスドメインの他のフェムトセル）を介して、アクセス端末４０２とアクセス端末４０４との間を直接進み得る。すなわち、トラフィックは、（たとえば、コアネットワーク４１０によって表される）コアネットワークエンティティへのネットワークバックホールを介してルーティングされない。したがって、コアネットワークトラフィックは、フェムトセル４０６が、すべての被サービスアクセス端末からのすべてのトラフィックをコアネットワークにルーティングするシナリオと比較して、このシナリオでは低減される。典型的な実装形態では、フェムトセル４０６とコアネットワーク４１０とは、依然として、アクセス端末の認証および許可のためにシグナリング情報を交換し得る。
【００５１】
[0065]いくつかの実装形態では、フェムトセル４０６（たとえば、プレゼンスベース通信制御４１２）は、プレゼンスベース通信のための代替（たとえば、非セルラー）アクセス技術を選択する。ここで、アクセス端末４０２、アクセス端末４０４、およびフェムトセル４０６は、それぞれ、従来のセルラーサービスをサポートするためのセルラーアクセス技術４１４、４１６、および４１８を含む。さらに、アクセス端末４０２、アクセス端末４０４、およびフェムトセル４０６は、それぞれ、非セルラーサービスをサポートするための非セルラーアクセス技術４２０、４２２、および４２４を含む。
【００５２】
[0066]代替アクセス技術の例としては、ワイヤレスＬＡＮ（ＷＬＡＮ）技術、イーサ（登録商標）ネット技術、および電力線通信技術がある。フェムトセル４０６がＷＬＡＮアクセスポイント（たとえば、基地局）を含み、アクセス端末４０２および４０４がＷＬＡＮトランシーバを含むシナリオでは、フェムトセル４０６は、これらのアクセス端末がＷＬＡＮに接続されたことを判断すると、ＷＬＡＮシグナリングを介してアクセス端末４０２とアクセス端末４０４との間のトラフィックをルーティングし得る。フェムトセル４０６が、イーサネットＬＡＮのためのイーサネットアクセスポイントを含み（または、さもなければ、フェムトセル４０６がイーサネットＬＡＮに接続され）、アクセス端末４０２および４０４がイーサネットトランシーバを含む（たとえば、アクセス端末４０２および４０４がポータブルコンピュータである）シナリオでは、フェムトセル４０６は、アクセス端末４０２および４０４がそのイーサネットＬＡＮに接続されたことを判断すると、イーサネットシグナリングを介してこれらのアクセス端末間のトラフィックをルーティングし得る。フェムトセル４０６ならびにアクセス端末４０２および４０４が電力線ベースのトランシーバを含む（たとえば、アクセス端末４０２および４０４がＡＣ電源に接続されることが可能である）シナリオでは、フェムトセル４０６は、アクセス端末４０２および４０４が共通の電力線に接続されたことを判断すると、電力線シグナリングを介してこれらのアクセス端末間のトラフィックをルーティングし得る。
【００５３】
[0067]図５〜図７に、図４のプレゼンスベース通信または他の同様の通信を行うために実行され得る例示的な動作を示す。説明のために、図５〜図７の動作は、それぞれ、ネットワークエンティティ（たとえば、マクロセル）がプレゼンスサーバに登録情報を送るシナリオ、プレゼンスサーバがプレゼンスドメインエンティティにプレゼンス情報を送るシナリオ、およびアクセスポイント（たとえば、フェムトセル）が、アクセス端末がプレゼンスドメインに存在することを判断した結果として、アクセス端末のための通信を可能にするシナリオを表す。ただし、他のシナリオでは、本明細書の教示による同様の機能を与えるために他のエンティティおよび他のタイプの情報が採用され得ることを諒解されたい。
【００５４】
[0068]最初に図５を参照すると、このフローチャートは、アクセス端末がアクセスポイントに登録したと判断した結果として、プレゼンスサーバに情報を送るネットワークエンティティ（たとえば、セルラーネットワークのマクロアクセスポイント）によって実行され得る例示的な動作を示す。アクセス端末が１つまたは複数のアクセスポイント（たとえば、フェムトセル）のセットに関連付けられたプレゼンスドメインに存在するかどうかを判断する他の方法に基づく代替シナリオにおいて、同様の動作が採用され得る。たとえば、アクセス端末がプレゼンスドメインに存在するという判断は、アクセス端末からの何らかの他のタイプの通信、またはアクセス端末のロケーションを示す何らかの他のタイプの通信に基づき得る。
【００５５】
[0069]ブロック５０２によって表されるように、ある時点において、アクセス端末がアクセスポイントにある（たとえば、登録した）という判断を行う。たとえば、マクロセルは、アクセス端末がアクセスポイントに登録したことに関連して、アクセス端末から登録メッセージを受信し得るか、またはマクロセルは、アクセス端末から何らかの他の好適なオーバージエアメッセージを受信し得る。別の例として、いくつかの他のネットワークエンティティ（たとえば、ＦＭＳなど）は、アクセスポイントから、アクセス端末がアクセスポイントに登録したことを示すメッセージを受信し得る。さらに別の例として、アクセス端末は、当該のプレゼンスドメインに関連付けられていないフェムトセルに登録し得る。さらに別の例として、アクセス端末は、当該のプレゼンスドメインに関連付けられているが、プレゼンスサーバを含まないフェムトセルに登録し得る。
【００５６】
[0070]ブロック５０４によって表されるように、ブロック５０２の判断の結果として、アクセス端末についてのプレゼンス情報を維持するプレゼンスサーバを識別する。たとえば、アクセス端末が登録したマクロセルが、そのアクセス端末が関連付けられたプレゼンスドメインを識別し、この情報に基づいて、アクセス端末が、フェムトセルセット（すなわち、少なくとも１つのフェムトセルのセット）のために定義されたプレゼンスドメインに存在するかどうかを示すプレゼンス情報を維持する対応するプレゼンスサーバを識別し得る（たとえば、サーバの識別子またはアドレスを取得し得る）。この情報は、たとえば、ネットワークによって維持されるアクセス端末（たとえば、ユーザ）についての加入者情報から取得され得る。本明細書で説明するように、プレゼンスサーバは、セルラーコアネットワークエンティティ中で実施（たとえば、実装）されるか、またはプレゼンスドメインのためのフェムトセルセットのフェムトセル中で実施され得る。
【００５７】
[0071]ブロック５０６によって表されるように、次いで、識別されたプレゼンスサーバに登録情報または他の好適な情報を送る。たとえば、アクセス端末が登録したマクロアクセスポイントのマクロセルが、アクセス端末がそのマクロアクセスポイントに登録したことを示す登録情報を送り得る。概して、この情報は、アクセス端末の識別子とアクセスポイントの識別子とを含む。
【００５８】
[0072]次に図６を参照すると、このフローチャートは、プレゼンスサーバまたは何らかの他の好適なエンティティによって実行され得る例示的な動作を示す。本明細書で説明するように、これらなどの動作は、一般に、プレゼンスドメインのフェムトセルによって実行されるかまたはコアネットワークエンティティによって実行される。図６の例では、プレゼンス情報は、アクセス端末に関係する受信したロケーション情報（たとえば、登録情報）に基づいて維持される。他のタイプのプレゼンス関係情報に基づく代替シナリオにおいて同様の動作が採用され得る。
【００５９】
[0073]ブロック６０２によって表されるように、プレゼンスサーバ（または他の好適なエンティティ）が、アクセス端末のロケーションを示す情報を受信する。たとえば、プレゼンスサーバは、ブロック５０６において上述した登録情報を受信し得る。したがって、受信した情報は、アクセス端末が登録したアクセスポイント（たとえば、プレゼンスドメインのためのフェムトセルセットのフェムトセル）を識別し得る。様々な実装形態では、プレゼンスサーバは、ブロック２０４において上述した形態のうちのいずれか１つでプレゼンス関係情報を受信し得る。
【００６０】
[0074]ブロック６０４によって表されるように、プレゼンスサーバ（または他のエンティティ）は、ブロック６０２において受信した情報に基づいて、アクセス端末についてのプレゼンス情報を維持する。たとえば、プレゼンスサーバによって維持されるプレゼンス情報は、アクセス端末が、所与のフェムトセルセットのための定義されたプレゼンスドメインに存在するかどうかを示すために更新され得る。
【００６１】
[0075]ブロック６０６によって表されるように、プレゼンスサーバ（または他のエンティティ）は、プレゼンスドメインに関連付けられた少なくとも１つのエンティティにプレゼンス情報を送る。たとえば、更新されたプレゼンス情報は、プレゼンスドメインのためのフェムトセルセットの各フェムトセルに送られ得る。追加または代替として、更新されたプレゼンス情報は、（たとえば、ブロック６０２においてロケーション情報が受信されたアクセス端末を含む）プレゼンスドメインに関連付けられた各アクセス端末に送られ得る。いくつかの実装形態では、これらのアクセス端末は、プレゼンスドメインに関連付けられたユーザのグループに割り当てられたアクセス端末のセットを備える。
【００６２】
[0076]ブロック６０６の動作は、プッシュモデルまたはプルモデルに基づいて実行され得る。前者の場合、プレゼンス情報は、たとえば、維持されたプレゼンス情報の変化の結果として送られる。後者の場合、プレゼンス情報は、たとえば、少なくとも１つのエンティティからのプレゼンス情報の要求を受信した結果として送られる。
【００６３】
[0077]図７を参照すると、このフローチャートは、アクセス端末がプレゼンスドメインにあることを判断すると、アクセス端末のための通信を可能にするアクセスポイントによって実行され得る例示的な動作を示す。典型的な実装形態では、これらの動作は、プレゼンスドメインのフェムトセルによって実行される。ただし、これらの動作は、他の実装形態では他のエンティティによって実行され得る。
【００６４】
[0078]ブロック７０２によって表されるように、アクセスポイントが、場合によっては、別のエンティティからプレゼンス情報を受信する。たとえば、プレゼンスサーバ（または他の同様の機能）を含まないプレゼンスドメインのフェムトセルが、そのプレゼンスドメインのためのプレゼンスサーバから、本明細書で説明するようにプレゼンス情報を受信し得る。別の例として、プレゼンス情報は、プレゼンスドメインの１つまたは複数の他のメンバー（たとえば、アクセスポイントおよび／またはアクセス端末）から受信され得る。
【００６５】
[0079]ブロック７０４によって表されるように、ある時点において、アクセスポイントは、アクセス端末がプレゼンスドメインに存在することを判断する。本明細書で説明するように、この判断は、アクセスポイントによって維持されるアクセス端末についてのプレゼンス情報に基づく。場合によっては、このプレゼンス情報は、（たとえば、ブロック７０２において説明したように）別のエンティティから取得される。場合によっては、このプレゼンス情報は、アクセスポイントへのアクセス端末の登録に基づいて取得される。たとえば、アクセス端末がアクセスポイントに登録したことを判断した結果として、アクセスポイントは、アクセスポイントが維持するアクセス端末についてのプレゼンス情報を更新し得る。
【００６６】
[0080]ブロック７０６によって表されるように、ブロック７０４の判断の結果として、アクセスポイントはアクセス端末のための通信を可能にする。これは、たとえば、アクセス端末と、プレゼンスドメインに存在する別のアクセス端末との間に通信を確立することを伴い得る。上記で説明したように、場合によっては、アクセス端末間に確立された通信は、セルラーマクロネットワークを通してルーティングされないが、代わりに、アクセスポイントが通信のために選択した非セルラーアクセス技術を介してルーティングされる。
【００６７】
[0081]ブロック７０８によって表されるように、いくつかの実装形態では、アクセスポイントは、プレゼンスドメインに関連付けられた少なくとも１つの他のエンティティにプレゼンス情報を送る。たとえば、フェムトセルは、プレゼンスドメインの１つまたは複数の他のフェムトセル、プレゼンスドメインに関連付けられた１つまたは複数のアクセス端末、プレゼンスドメインのためのプレゼンスサーバ、またはこれらのエンティティの組合せに更新されたプレゼンス情報を送り得る。
【００６８】
[0082]次に図８を参照すると、この図は、情報配信エンティティ８０６が、アクセス端末１０２（またはプレゼンスドメインの他のアクセス端末）がプレゼンスドメインに存在するとき、そのアクセス端末への情報の非同期配信を可能にするシステム８００の例を示す。ここで、破線８１６によって表されるように、情報源エンティティ８０４（たとえば、アクセス端末）は、アクセス端末８０２がプレゼンスドメインに存在するとき、情報が配信されるべきであるという指示とともにアクセス端末８０２に配信されるべき情報を与える。情報配信エンティティ８０６（たとえば、フェムトセルまたはコアネットワークエンティティ）は、受信した情報８０８と受信した指示８１０とを記憶する。指示８１０とともに情報８０８を受信した結果として、プレゼンス判断構成要素８１２はアクセス端末８０２のプレゼンスステータスを監視する。この監視は、たとえば、ローカルに生成されたプレゼンス情報を監視すること、および／または破線８１８によって表されるようにプレゼンスサーバ８１４から受信されるプレゼンス情報を監視することを伴い得る。プレゼンス判断構成要素８１２が、アクセス端末８０２がプレゼンスドメインに存在することを判断すると、情報配信エンティティ８０６は、破線８２０によって表されるように情報をアクセス端末８０２に配信する。図９および図１０に、図８のプレゼンスベース通信または他の同様の通信を行うために実行され得る例示的な動作を示す。
【００６９】
[0083]図９は、アクセス端末に配信されるべき情報を与える情報源によって実行され得る例示的な動作を示す。これらの動作は、別のアクセス端末、アクセスポイント、コアネットワークエンティティ、または何らかの他の好適なエンティティによって実行され得る。
【００７０】
[0084]図９のブロック９０２によって表されるように、情報源は、アクセス端末に配信されるべき情報を与える（たとえば、生成または取得する）。たとえば、他のユーザが、指定されたプレゼンスドメイン（たとえば、自宅、職場など）にいるとき、ユーザが、（たとえば、ユーザのアクセス端末を使用して）別のユーザに配信されるべき情報を生成し得る。特定の例として、情報は、ユーザが自宅に戻った後、ユーザが実行すべきであるかまたは思い出すべきであるタスク（たとえば、買い物リスト、やることリスト）を示し得る。別の特定の例として、情報は、ユーザが所与の日に職場で実行すべきであるタスクを示し得る（たとえば、情報は時間カレンダーの形態をとる）。
【００７１】
[0085]ブロック９０４によって表されるように、情報源はまた、アクセス端末が（たとえば、フェムトセルセットのために定義された）プレゼンスドメインに存在する場合、情報がアクセス端末に配信されるべきであるという指示を与える。これは、たとえば、アクセス端末がプレゼンスドメインに関連付けられたことを判断することと、（たとえば、ユーザ入力に基づいて）アクセス端末がプレゼンスドメインに存在するまで、情報がアクセス端末に配信されるべきでないことを判断することとを伴い得る。
【００７２】
[0086]ブロック９０６によって表されるように、情報源は、アクセス端末に情報を配信すべきであるエンティティにブロック９０２の情報とブロック９０４の指示とを送る。たとえば、情報源は、プレゼンスドメインに関連付けられたフェムトセルにまたはコアネットワークエンティティに情報と指示とを送り得る。
【００７３】
[0087]図１０は、アクセス端末への配信のために情報をキャッシュする配信エンティティによって実行され得る例示的な動作を示す。これらの動作は、たとえば、プレゼンスドメインに関連付けられたフェムトセルによってまたはコアネットワークエンティティによって実行され得る。
【００７４】
[0088]ブロック１００２によって表されるように、配信エンティティは、場合によっては、アクセス端末に配信されるべき情報と、アクセス端末がプレゼンスドメインに存在する場合、情報がアクセス端末に配信されるべきであるという指示とを受信する。たとえば、配信エンティティが情報を生成しなかったシナリオでは、配信エンティティは、情報を生成した別のエンティティからこの情報と関連する指示とを受信する。
【００７５】
[0089]ブロック１００４によって表されるように、配信エンティティは、アクセス端末に配信されるべきである情報を記憶する。ブロック１００２において上述したように、場合によっては、この情報は、情報（および、場合によっては、対応する指示）を生成した別のエンティティから受信される。しかしながら、他の場合、配信エンティティは、アクセス端末に配信されるべき情報を生成する。本明細書で説明するように、この情報は、アクセス端末がプレゼンスドメインに存在する場合、情報がアクセス端末に配信されるべきであるという指示とともに記憶され得る。アクセス端末がプレゼンスドメインに存在しない間、この情報（および、該当する場合、指示）は記憶される。
【００７６】
[0090]ブロック１００６によって表されるように、いくつかのシナリオでは、配信エンティティは、アクセス端末についてのプレゼンス情報を受信する。たとえば、配信エンティティは、プレゼンスサーバからまたはプレゼンスドメインのメンバーから、本明細書で説明するようにプレゼンス情報を受信し得る。
【００７７】
[0091]ブロック１００８によって表されるように、ある時点において、配信エンティティは、アクセス端末がプレゼンスドメインに存在することを判断する。この判断は、たとえば、配信エンティティへのアクセス端末の登録に基づいて、または（たとえば、ブロック１００６からの）受信したプレゼンス情報に基づいて行われ得る。
【００７８】
[0092]ブロック１０１０によって表されるように、ブロック１００８の判断の結果として、配信エンティティは、記憶された情報をアクセス端末に配信する。配信エンティティが、アクセス端末が登録した（または、さもなければ通信中である）フェムトセルであるシナリオの場合、この動作は、フェムトセルが情報をアクセス端末に転送することを単に伴い得る。配信エンティティがコアネットワークエンティティであるシナリオの場合、この動作は、コアネットワークエンティティが、アクセス端末を現在サービスしているフェムトセルを介して情報をアクセス端末に転送することを伴い得る。配信エンティティがプレゼンスドメインのフェムトセルである（ただし、アクセス端末が登録したものではない）シナリオの場合、この動作は、フェムトセルが、コアネットワークを介してまたは何らかの他の通信リンク（たとえば、フェムトセル間の直接通信リンク）を介して、情報を、アクセス端末を現在サービスしている別のフェムトセルに転送することを伴い得る。
【００７９】
[0093]上記に鑑みて、アクセス端末における非同期コンテンツ情報配信は様々な方法で達成され得る。たとえば、アクセス端末が、プレゼンスドメインに関連付けられたフェムトセルとの通信を確立する（たとえば、そのフェムトセルに登録する）ことの結果として、アクセス端末は、アクセス端末がプレゼンスドメインに存在する場合、アクセス端末に配信されるべきである情報を受信する。上記で説明したように、この情報は、フェムトセル、プレゼンスドメインのためのプレゼンスサーバ、または何らかの他の好適なエンティティから受信され得る。また上記で説明したように、アクセス端末は、受信した情報に基づいて指示（たとえば、視覚表示および／または可聴信号）を生成し得る。たとえば、アクセス端末は、ユーザがユーザの住宅に入ったときには自宅固有のメッセージを表示し得、アクセス端末は、ユーザがユーザの勤務先に入ったときには仕事固有のメッセージを表示し得る。
【００８０】
[0094]いくつかの実装形態では、アクセス端末は、非同期コンテンツ情報をアクティブにダウンロードする。たとえば、アクセス端末は、フェムトセルとの通信を確立したときに、（たとえば、フェムトセルの識別情報に基づいて、この通信を確立したときに受信されたプレゼンス情報に基づいてなど）アクセス端末がプレゼンスドメインに存在することを判断し得る。アクセス端末は、次いで、アクセス端末がプレゼンスドメインに存在するという判断の結果として、記憶された非同期コンテンツ情報の要求を送る。たとえば、アクセス端末は、この要求をフェムトセルにまたはプレゼンスドメインのためのプレゼンスサーバに送り得る。したがって、アクセス端末は、そのような要求を送ることの結果として、非同期的に配信された情報を受信し得る。
【００８１】
[0095]図１１に、本明細書で教示するプレゼンス関係の動作を実行するために（たとえば、それぞれ図１のアクセス端末１０２、アクセスポイント１０６、およびネットワークエンティティ１１０（またはアクセスポイント１０８）に対応する）アクセス端末１１０２、アクセスポイント１１０４、およびネットワークエンティティ１１０６などのノードに組み込まれ得る（対応するブロックによって表される）いくつかの例示的な構成要素を示す。説明する構成要素は、通信システム中の他のノードにも組み込まれ得る。たとえば、システム中の他のノードは、同様の機能を与えるために、アクセスポイント１１０４に関して説明する構成要素と同様の構成要素を含み得る。また、所与のノードが、説明する構成要素のうちの１つまたは複数を含んでいることがある。
【００８２】
[0096]図１１に示すように、アクセス端末１１０２およびアクセスポイント１１０４は、それぞれ、他のノードと通信するための（それぞれトランシーバ１１０８およびトランシーバ１１１０によって表される）１つまたは複数のトランシーバを含む。各トランシーバ１１０８は、信号（たとえば、メッセージ、指示、プレゼンス関係情報、非同期コンテンツ情報、ロケーション関係情報、登録関係情報、または他の情報）を送るための送信機１１１２と、信号（たとえば、メッセージ、指示、および上記の情報）を受信するための受信機１１１４とを含む。同様に、各トランシーバ１１１０は、信号を送るための送信機１１１６と、信号を受信するための受信機１１１８とを含む。場合によっては（たとえば、セルラーまたはＷｉＦｉ（登録商標）通信の場合）、トランシーバはワイヤレス通信をサポートする。場合によっては（たとえば、イーサネットまたは電力線通信の場合）、トランシーバはワイヤベース通信をサポートする。いくつかの実装形態では、アクセス端末１１０２およびアクセスポイント１１０４は、それぞれ、複数のキャリア上で動作すること、および／または異なる技術（たとえば、セルラーアクセス技術および非セルラーアクセス技術）を介して通信することを可能にする複数のトランシーバを含む。
【００８３】
[0097]アクセスポイント１１０４およびネットワークエンティティ１１０６は、それぞれ、他のノードと通信するための（それぞれネットワークインターフェース１１２０およびネットワークインターフェース１１２２によって表される）１つまたは複数のネットワークインターフェースを含む。たとえば、ネットワークインターフェースは、ワイヤベースまたはワイヤレスバックホールを介して１つまたは複数の他のネットワークエンティティと通信するように構成され得る。いくつかの態様では、ネットワークインターフェースは、（たとえば、ワイヤベースまたはワイヤレス通信をサポートするように構成された）送信機構成要素と受信機構成要素とを備えるトランシーバとして実装される。したがって、図１１の例では、ネットワークインターフェース１１２０は、送信機１１２４と受信機１１２６とを含むものとして示され、ネットワークインターフェース１１２２は、送信機１１２８と受信機１１３０とを含むものとして示される。
【００８４】
[0098]アクセス端末１１０２、アクセスポイント１１０４、およびネットワークエンティティ１１０６はまた、本明細書で教示するプレゼンス関係の動作に関連して使用され得る他の構成要素を含む。たとえば、アクセス端末１１０２は、プレゼンス関係の機能（たとえば、アクセス端末に配信されるべき情報を与えること、アクセス端末がプレゼンスドメインに存在する場合、情報がアクセス端末に配信されるべきであるという指示を与えること、情報と指示とを送ること、非同期的に配信された情報を受信すること、プレゼンスドメインに関連付けられたフェムトセルとの通信を確立すること、通信を確立することに基づいて、アクセス端末がプレゼンスドメインに存在することを判断すること、判断の結果として情報の要求を送ることであって、情報が、要求を送ることの結果として受信される、送ること）を実行するため、および本明細書で教示する他の関係する機能を与えるための処理システム１１３２を含む。いくつかの実装形態では、処理システム１１３２の説明した動作のいくつかは、（１つまたは複数の）トランシーバ１１０８において実装され得る。アクセスポイント１１０４は、プレゼンス関係の機能（たとえば、アクセス端末がプレゼンスドメインに存在することを判断すること、アクセス端末のための通信を可能にすること、プレゼンス情報を受信すること、アクセス端末が登録したことを判断すること、プレゼンス情報を更新すること、プレゼンス情報を送ること、アクセス端末のロケーションを示す情報を受信すること、プレゼンス情報を維持すること、アクセス端末がアクセスポイントに登録したことを判断すること、プレゼンスサーバを識別すること、登録情報をプレゼンスサーバに送ること、アクセス端末に配信されるべきである情報を記憶すること、アクセス端末がプレゼンスドメインに存在することを判断すること、記憶された情報をアクセス端末に配信すること、情報と指示とを受信すること、プレゼンス情報を受信すること）を実行するため、および本明細書で教示する他の関係する機能を与えるための処理システム１１３４を含む。いくつかの実装形態では、処理システム１１３４の説明した動作のいくつかは、（１つまたは複数の）トランシーバ１１１０および／または（１つまたは複数の）ネットワークインターフェース１１２０において実装され得る。ネットワークエンティティ１１０６は、プレゼンス関係の機能（たとえば、アクセス端末のロケーションを示す情報を受信すること、プレゼンス情報を維持すること、プレゼンス情報を送ること、アクセス端末がアクセスポイントに登録したことを判断すること、プレゼンスサーバを識別すること、登録情報をプレゼンスサーバに送ること、アクセス端末に配信されるべきである情報を記憶すること、アクセス端末がプレゼンスドメインに存在することを判断すること、記憶された情報をアクセス端末に配信すること、情報と指示とを受信すること、プレゼンス情報を受信すること）を実行するため、および本明細書で教示する他の関係する機能を与えるための処理システム１１３６を含む。いくつかの実装形態では、処理システム１１３６の説明した動作のいくつかは、（１つまたは複数の）ネットワークインターフェース１１２２において実装され得る。アクセス端末１１０２、アクセスポイント１１０４、およびネットワークエンティティ１１０６は、それぞれ、プレゼンスベース機能と他の機能とに関係する情報（たとえば、プレゼンス関係情報）を維持するための（たとえば、１つまたは複数のメモリデバイスをそれぞれ含む）メモリ構成要素１１３８、１１４０、および１１４２を含む。いくつかの実装形態では、アクセス端末１１０２は、ユーザに指示を与える（たとえば、可聴および／または視覚指示を生成する、受信した情報に基づいて指示を生成する）ため、および／または（たとえば、マイクロフォン、カメラ、キーパッドなどの感知デバイスをユーザが作動させたときに）ユーザ入力を受信するためのユーザインターフェース１１４４を含む。
【００８５】
[0099]便宜上、アクセス端末１１０２、アクセスポイント１１０４、およびネットワークエンティティ１１０６は、本明細書で説明する様々な実装形態において使用され得る構成要素を含むものとして図１１に示されている。実際には、図示した構成要素の機能は、異なる実装形態では異なり得る。一例として、ブロック１１３４の機能は、図１０に従って実装される一実施形態に比較して、図７に従って実装される一実施形態では異なり得る。
【００８６】
[00100]図１１の構成要素は様々な方法で実装され得る。いくつかの実装形態では、図１１の構成要素は、たとえば、１つまたは複数のプロセッサ、および／または（１つまたは複数のプロセッサを含み得る）１つまたは複数のＡＳＩＣなど、１つまたは複数の回路において実装され得る。ここで、各回路（たとえば、プロセッサ）は、この機能を与えるために回路によって使用される情報または実行コードを記憶するためのデータメモリを使用し、および／または組み込み得る。たとえば、ブロック１１０８によって表される機能の一部、ならびにブロック１１３２、１１３８、および１１４４によって表される機能の一部または全部は、アクセス端末の１つまたは複数のプロセッサと、アクセス端末のデータメモリとによって（たとえば、適切なコードの実行によって、および／またはプロセッサ構成要素の適切な構成によって）実装され得る。同様に、ブロック１１１０および／または１１２０によって表される機能の一部、ならびにブロック１１３４および１１４０によって表される機能の一部または全部は、アクセスポイントの１つまたは複数のプロセッサと、アクセスポイントのデータメモリとによって（たとえば、適切なコードの実行によって、および／またはプロセッサ構成要素の適切な構成によって）実装され得る。また、ブロック１１２２によって表される機能の一部、ならびにブロック１１３６および１１４２によって表される機能の一部または全部は、アクセスポイントの１つまたは複数のプロセッサと、アクセスポイントのデータメモリとによって（たとえば、適切なコードの実行によって、および／またはプロセッサ構成要素の適切な構成によって）実装され得る。
【００８７】
[00101]上記で説明したように、いくつかの態様では、本明細書の教示は、大規模カバレージ（たとえば、一般にマクロセルネットワークまたはＷＡＮと呼ばれる３Ｇネットワークなどの広域セルラーネットワーク）と、より小規模のカバレージ（たとえば、一般にＬＡＮと呼ばれるレジデンスベースまたは建築物ベースのネットワーク環境）とを含むネットワークにおいて採用され得る。アクセス端末（ＡＴ）がそのようなネットワーク中を移動するとき、アクセス端末は、いくつかのロケーションでは、マクロカバレージを与えるアクセスポイントによってサービスされ得、他のロケーションでは、より小規模のカバレージを与えるアクセスポイントによってサービスされ得る。いくつかの態様では、より小さいカバレージのノードは、（たとえば、よりロバストなユーザエクスペリエンス（user experience）のために）漸進的な容量の増大（incremental capacity growth）と、屋内カバレージと、様々なサービスとを与えるために使用され得る。
【００８８】
[00102]本明細書の説明では、比較的大きいエリアにわたるカバレージを与えるノード（たとえば、アクセスポイント）をマクロアクセスポイントと呼び、比較的小さいエリア（たとえば、レジデンス）にわたるカバレージを与えるノードをフェムトアクセスポイントと呼ぶことがある。本明細書の教示は、他のタイプのカバレージエリアに関連付けられたノードに適用可能であり得ることを諒解されたい。たとえば、ピコアクセスポイントは、マクロエリアよりも小さく、フェムトエリアよりも大きいエリアにわたるカバレージ（たとえば、商業建築物内のカバレージ）を与え得る。様々な適用例では、マクロアクセスポイント、フェムトアクセスポイント、または他のアクセスポイントタイプのノードを指すために他の用語を使用することがある。たとえば、マクロアクセスポイントを、アクセスノード、基地局、アクセスポイント、ｅノードＢ、マクロセルなどとして構成すること、またはそのように呼ぶことがある。また、フェムトアクセスポイントを、ホームノードＢ、ホームｅノードＢ、アクセスポイント基地局、フェムトセルなどとして構成すること、またはそのように呼ぶことがある。いくつかの実装形態では、ノードを１つまたは複数のセルまたはセクタに関連付けることがある（たとえば、そのように呼ぶこと、または分割することがある）。マクロアクセスポイント、フェムトアクセスポイント、またはピコアクセスポイントに関連付けられたセルまたはセクタを、それぞれ、マクロセル、フェムトセル、またはピコセルと呼ぶことがある。
【００８９】
[00103]図１２に、本明細書の教示が実装され得る、何人かのユーザをサポートするように構成されたワイヤレス通信システム１２００を示す。システム１２００は、たとえばマクロセル１２０２Ａ〜１２０２Ｇなど、複数のセル１２０２の通信を可能にし、各セルは、対応するアクセスポイント１２０４（たとえば、アクセスポイント１２０４Ａ〜１２０４Ｇ）によってサービスされる。図１２に示すように、アクセス端末１２０６（たとえば、アクセス端末１２０６Ａ〜１２０６Ｌ）は、時間とともにシステム全体にわたって様々なロケーションに分散され得る。各アクセス端末１２０６は、たとえば、アクセス端末１２０６がアクティブであるかどうか、およびアクセス端末１２０６がソフトハンドオフ中であるかどうかに応じて、所与の瞬間に順方向リンク（ＦＬ）および／または逆方向リンク（ＲＬ）上で１つまたは複数のアクセスポイント１２０４と通信し得る。ワイヤレス通信システム１２００は、広い地理的領域にわたってサービスを提供し得る。たとえば、マクロセル１２０２Ａ〜１２０２Ｇは、近隣では数ブロックまたは地方環境では数マイルをカバーし得る。
【００９０】
[00104]図１３に、１つまたは複数のフェムトアクセスポイントがネットワーク環境内に展開された例示的な通信システム１３００を示す。詳細には、システム１３００は、比較的小規模のネットワーク環境中に（たとえば、１つまたは複数のユーザレジデンス１３３０中に）設置された複数のフェムトアクセスポイント１３１０（たとえば、フェムトアクセスポイント１３１０Ａおよび１３１０Ｂ）を含む。各フェムトアクセスポイント１３１０は、ＤＳＬルータ、ケーブルモデム、ワイヤレスリンク、または他の接続手段（図示せず）を介してワイドエリアネットワーク１３４０（たとえば、インターネット）およびモバイル事業者コアネットワーク１３５０に結合され得る。以下で説明するように、各フェムトアクセスポイント１３１０は、関連するアクセス端末１３２０（たとえば、アクセス端末１３２０Ａ）と、場合によっては他の（たとえば、ハイブリッドまたは外来（alien））アクセス端末１３２０（たとえば、アクセス端末１３２０Ｂ）とをサービスするように構成され得る。言い換えれば、フェムトアクセスポイント１３１０へのアクセスは制限され得、それによって、所与のアクセス端末１３２０は、指定された（１つまたは複数の）（たとえば、ホーム）フェムトアクセスポイント１３１０のセットによってサービスされ得るが、指定されていないフェムトアクセスポイント１３１０（たとえば、ネイバーのフェムトアクセスポイント１３１０）によってサービスされないことがある。
【００９１】
[00105]図１４に、いくつかのトラッキングエリア１４０２（またはルーティングエリアまたはロケーションエリア）が画定されたカバレージマップ１４００の一例を示し、そのエリアの各々はいくつかのマクロカバレージエリア１４０４を含む。ここで、トラッキングエリア１４０２Ａ、１４０２Ｂ、および１４０２Ｃに関連付けられたカバレージのエリアは太線によって示され、マクロカバレージエリア１４０４はより大きい六角形によって表される。トラッキングエリア１４０２はフェムトカバレージエリア１４０６をも含む。この例では、フェムトカバレージエリア１４０６の各々（たとえば、フェムトカバレージエリア１４０６Ｂおよび１４０６Ｃ）は、１つまたは複数のマクロカバレージエリア１４０４（たとえば、マクロカバレージエリア１４０４Ａおよび１４０４Ｂ）内に示されている。ただし、フェムトカバレージエリア１４０６の一部または全部がマクロカバレージエリア１４０４内にあるとは限らないことを諒解されたい。実際には、多数のフェムトカバレージエリア１４０６（たとえば、フェムトカバレージエリア１４０６Ａおよび１４０６Ｄ）が、所与のトラッキングエリア１４０２またはマクロカバレージエリア１４０４内に画定され得る。また、１つまたは複数のピコカバレージエリア（図示せず）が、所与のトラッキングエリア１４０２またはマクロカバレージエリア１４０４内に画定され得る。
【００９２】
[00106]再び図１３を参照すると、フェムトアクセスポイント１３１０の所有者は、たとえば、３Ｇモバイルサービスなど、モバイル事業者コアネットワーク１３５０を介して提供されるモバイルサービスに加入し得る。さらに、アクセス端末１３２０は、マクロ環境と、より小規模の（たとえば、宅内）ネットワーク環境の両方で動作することが可能であり得る。言い換えれば、アクセス端末１３２０の現在のロケーションに応じて、アクセス端末１３２０は、モバイル事業者コアネットワーク１３５０に関連付けられたマクロセルアクセスポイント１３６０によって、またはフェムトアクセスポイント１３１０のセット（たとえば、対応するユーザレジデンス１３３０内に常駐するフェムトアクセスポイント１３１０Ａおよび１３１０Ｂ）のうちのいずれか１つによってサービスされ得る。たとえば、加入者は、自宅の外にいるときには標準のマクロアクセスポイント（たとえば、アクセスポイント１３６０）によってサービスされ、自宅の中にいるときにはフェムトアクセスポイント（たとえば、アクセスポイント１３１０Ａ）によってサービスされる。ここで、フェムトアクセスポイント１３１０は、レガシーアクセス端末１３２０と後方互換性があり得る。
【００９３】
[00107]フェムトアクセスポイント１３１０は、単一の周波数上に展開されるか、または代替として、複数の周波数上に展開され得る。特定の構成に応じて、単一の周波数、あるいは複数の周波数のうちの１つまたは複数は、マクロアクセスポイント（たとえば、アクセスポイント１３６０）によって使用される１つまたは複数の周波数と重複することがある。
【００９４】
[00108]いくつかの態様では、アクセス端末１３２０は、そのような接続性が可能であるときはいつでも、好適なフェムトアクセスポイント（たとえば、アクセス端末１３２０のホームフェムトアクセスポイント）に接続するように構成され得る。たとえば、アクセス端末１３２０Ａがユーザのレジデンス１３３０内にあるときはいつでも、アクセス端末１３２０Ａがホームフェムトアクセスポイント１３１０Ａまたは１３１０Ｂのみと通信することが望まれることがある。
【００９５】
[00109]いくつかの態様では、アクセス端末１３２０がマクロセルラーネットワーク１３５０内で動作しているが、（たとえば、好適ローミングリストにおいて定義された）それの最も好適なネットワーク上に常駐していない場合、アクセス端末１３２０は、ベターシステムリセレクション（ＢＳＲ：better system reselection）プロシージャを使用して、最も好適なネットワーク（たとえば、好適なフェムトアクセスポイント１３１０）を探索し続け得、ＢＳＲプロシージャは、より良好なシステムが現在利用可能であるかどうかを判断し、その後、そのような好適なシステムを捕捉するための、利用可能なシステムの周期的走査を伴い得る。アクセス端末１３２０は、特定の帯域およびチャネルの探索を制限し得る。たとえば、１つまたは複数のフェムトチャネルが定義され得、それにより、領域中のすべてのフェムトアクセスポイント（またはすべての制限付き（restricted）フェムトアクセスポイント）は（１つまたは複数の）フェムトチャネル上で動作する。最も好適なシステムの探索は周期的に繰り返され得る。好適なフェムトアクセスポイント１３１０が発見されると、アクセス端末１３２０は、それのカバレージエリア内にあるときに使用するために、フェムトアクセスポイント１３１０を選択し、それに登録する。
【００９６】
[00110]フェムトアクセスポイントへのアクセスは、いくつかの態様では制限され得る。たとえば、所与のフェムトアクセスポイントは、いくつかのサービスをいくつかのアクセス端末のみに提供し得る。いわゆる制限付き（または限定）アクセスを用いた展開では、所与のアクセス端末は、マクロセルモバイルネットワークと、フェムトアクセスポイントの定義されたセット（たとえば、対応するユーザレジデンス１３３０内に常駐するフェムトアクセスポイント１３１０）とによってのみサービスされ得る。いくつかの実装形態では、アクセスポイントは、少なくとも１つのノード（たとえば、アクセス端末）について、シグナリング、データアクセス、登録、ページング、またはサービスのうちの少なくとも１つを与えないように制限され得る。
【００９７】
[00111]いくつかの態様では、（限定加入者グループホームノードＢと呼ばれることもある）制限付きフェムトアクセスポイントは、アクセス端末の制限されたプロビジョニングされたセットにサービスを提供するフェムトアクセスポイントである。このセットは、必要に応じて、一時的にまたは永続的に拡大され得る。いくつかの態様では、限定加入者グループ（ＣＳＧ）は、アクセス端末の共通のアクセス制御リストを共有するアクセスポイント（たとえば、フェムトアクセスポイント）のセットとして定義され得る。
【００９８】
[00112]したがって、所与のフェムトアクセスポイントと所与のアクセス端末との間に様々な関係が存在し得る。たとえば、アクセス端末の観点から、オープンフェムトアクセスポイントは、無制限のアクセスをもつフェムトアクセスポイントを指すことがある（たとえば、そのフェムトアクセスポイントはすべてのアクセス端末にアクセスを許可する）。制限付きフェムトアクセスポイントは、何らかの形で制限された（たとえば、アクセスおよび／または登録について制限された）フェムトアクセスポイントを指すことがある。ホームフェムトアクセスポイントは、アクセス端末がアクセスし、その上で動作することを許可される（たとえば、永続的なアクセスが、１つまたは複数のアクセス端末の定義されたセットに与えられる）フェムトアクセスポイントを指すことがある。ハイブリッド（またはゲスト）フェムトアクセスポイントは、異なるアクセス端末が異なるレベルのサービスを提供される（たとえば、いくつかのアクセス端末は、部分的および／または一時的アクセスが許可され得るが、他のアクセス端末はフルアクセスが許可され得る）フェムトアクセスポイントを指すことがある。外来フェムトアクセスポイントは、おそらく非常事態（たとえば、９１１番）を除いて、アクセス端末がアクセスし、またはその上で動作することを許可されないフェムトアクセスポイントを指すことがある。
【００９９】
[00113]制限付きフェムトアクセスポイントの観点から、ホームアクセス端末は、そのアクセス端末の所有者のレジデンス中に設置された制限付きフェムトアクセスポイントへのアクセスを許可されるアクセス端末を指すことがある（通常、ホームアクセス端末は、そのフェムトアクセスポイントへの永続的なアクセスを有する）。ゲストアクセス端末は、（たとえば、最終期限、使用時間、バイト、接続回数、または何らかの他の１つまたは複数の基準に基づいて制限された）制限付きフェムトアクセスポイントへの一時的アクセスをもつアクセス端末を指すことがある。外来アクセス端末は、たとえば、おそらく９１１番などの非常事態を除いて、制限付きフェムトアクセスポイントにアクセスするための許可を有していないアクセス端末（たとえば、制限付きフェムトアクセスポイントに登録するための証明書または許可を有していないアクセス端末）を指すことがある。
【０１００】
[00114]便宜上、本明細書の開示では、フェムトアクセスポイントのコンテキストにおいて様々な機能について説明する。ただし、ピコアクセスポイントが、同じまたは同様の機能をより大きいカバレージエリアに与え得ることを諒解されたい。たとえば、所与のアクセス端末に対して、ピコアクセスポイントが制限され得、ホームピコアクセスポイントが定義され得る、などである。
【０１０１】
[00115]本明細書の教示は、複数のワイヤレスアクセス端末のための通信を同時にサポートするワイヤレス多元接続通信システムにおいて採用され得る。ここで、各端末は、順方向リンクおよび逆方向リンク上の送信を介して１つまたは複数のアクセスポイントと通信し得る。順方向リンク（またはダウンリンク）は、アクセスポイントから端末への通信リンクを指し、逆方向リンク（またはアップリンク）は、端末からアクセスポイントへの通信リンクを指す。この通信リンクは、単入力単出力システム、多入力多出力（ＭＩＭＯ）システム、または何らかの他のタイプのシステムを介して確立され得る。
【０１０２】
[00116]ＭＩＭＯシステムは、データ伝送のために複数（ＮT）個の送信アンテナと複数（ＮR）個の受信アンテナとを採用する。ＮT個の送信アンテナとＮR個の受信アンテナとによって形成されるＭＩＭＯチャネルは、空間チャネルとも呼ばれるＮS個の独立チャネルに分解され得、ＮS＝＜ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善された性能（たとえば、より高いスループットおよび／またはより大きい信頼性）を与え得る。
【０１０３】
[00117]ＭＩＭＯシステムは時分割複信（ＴＤＤ）と周波数分割複信（ＦＤＤ）とをサポートし得る。ＴＤＤシステムでは、順方向リンク送信と逆方向リンク送信とが同じ周波数領域上で行われるので、相反定理により逆方向リンクチャネルからの順方向リンクチャネルの推定が可能である。これにより、複数のアンテナがアクセスポイントにおいて利用可能であるとき、アクセスポイントは順方向リンク上で送信ビームフォーミング利得を抽出することが可能になる。
【０１０４】
[00118]図１５に、例示的なＭＩＭＯシステム１５００のワイヤレスデバイス１５１０（たとえば、アクセスポイント）およびワイヤレスデバイス１５５０（たとえば、アクセス端末）を示す。デバイス１５１０において、いくつかのデータストリームのトラフィックデータが、データソース１５１２から送信（ＴＸ）データプロセッサ１５１４に与えられる。各データストリームは、次いで、それぞれの送信アンテナを介して送信され得る。
【０１０５】
[00119]ＴＸデータプロセッサ１５１４は、コード化データを与えるために、各データストリームのトラフィックデータを、そのデータストリーム用に選択された特定のコーディング方式に基づいてフォーマットし、コーディングし、インターリーブする。各データストリームのコード化データは、ＯＦＤＭ技法を使用してパイロットデータで多重化され得る。パイロットデータは、典型的には、知られている方法で処理され、チャネル応答を推定するために受信機システムにおいて使用され得る知られているデータパターンである。各データストリームの多重化されたパイロットデータおよびコード化データは、次いで、変調シンボルを与えるために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、コーディング、および変調は、プロセッサ１５３０によって実行される命令によって判断され得る。データメモリ１５３２は、プロセッサ１５３０またはデバイス１５１０の他の構成要素によって使用されるプログラムコード、データ、および他の情報を記憶し得る。
【０１０６】
[00120]次いで、すべてのデータストリームの変調シンボルがＴＸ  ＭＩＭＯプロセッサ１５２０に与えられ、ＴＸ  ＭＩＭＯプロセッサ１５２０はさらに（たとえば、ＯＦＤＭの場合）その変調シンボルを処理し得る。ＴＸ  ＭＩＭＯプロセッサ１５２０は、次いで、ＮT個の変調シンボルストリームをＮT個のトランシーバ（ＸＣＶＲ）１５２２Ａ〜１５２２Ｔに与える。いくつかの態様では、ＴＸ  ＭＩＭＯプロセッサ１５２０は、データストリームのシンボルと、シンボルの送信元のアンテナとにビームフォーミング重みを適用する。
【０１０７】
[00121]各トランシーバ１５２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した被変調信号を与える。トランシーバ１５２２Ａ〜１５２２ＴからのＮT個の被変調信号は、次いで、それぞれＮT個のアンテナ１５２４Ａ〜１５２４Ｔから送信される。
【０１０８】
[00122]デバイス１５５０において、送信された被変調信号はＮR個のアンテナ１５５２Ａ〜１５５２Ｒによって受信され、各アンテナ１５５２からの受信信号は、それぞれのトランシーバ（ＸＣＶＲ）１５５４Ａ〜１５５４Ｒに与えられる。各トランシーバ１５５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与える。
【０１０９】
[00123]次いで、受信（ＲＸ）データプロセッサ１５６０が、ＮR個のトランシーバ１５５４からＮR個の受信シンボルストリームを受信し、特定の受信機処理技法に基づいて処理して、ＮT個の「検出」シンボルストリームを与える。ＲＸデータプロセッサ１５６０は、次いで、各検出シンボルストリームを復調し、デインターリーブし、復号して、データストリームのトラフィックデータを復元する。ＲＸデータプロセッサ１５６０による処理は、デバイス１５１０においてＴＸ  ＭＩＭＯプロセッサ１５２０およびＴＸデータプロセッサ１５１４によって実行された処理を補足するものである。
【０１１０】
[00124]プロセッサ１５７０は、どのプリコーディング行列を使用すべきかを周期的に判断する（後述）。プロセッサ１５７０は、行列インデックス部分とランク値部分とを備える逆方向リンクメッセージを作成する。データメモリ１５７２は、プロセッサ１５７０またはデバイス１５５０の他の構成要素によって使用されるプログラムコード、データ、および他の情報を記憶し得る。
【０１１１】
[00125]逆方向リンクメッセージは、通信リンクおよび／または受信データストリームに関する様々なタイプの情報を備え得る。逆方向リンクメッセージは、次いで、データソース１５３６からのいくつかのデータストリームのトラフィックデータをも受信するＴＸデータプロセッサ１５３８によって処理され、変調器１５８０によって変調され、トランシーバ１５５４Ａ〜１５５４Ｒによって調整され、デバイス１５１０に戻される。
【０１１２】
[00126]デバイス１５１０において、デバイス１５５０からの被変調信号は、アンテナ１５２４によって受信され、トランシーバ１５２２によって調整され、復調器（ＤＥＭＯＤ）１５４０によって復調され、ＲＸデータプロセッサ１５４２によって処理されて、デバイス１５５０によって送信された逆方向リンクメッセージが抽出される。プロセッサ１５３０は、次いで、ビームフォーミング重みを判断するためにどのプリコーディング行列を使用すべきかを判断し、次いで、抽出されたメッセージを処理する。
【０１１３】
[00127]図１５はまた、通信構成要素が、本明細書で教示するプレゼンス関係の制御動作を実行する１つまたは複数の構成要素を含み得ることを示す。たとえば、プレゼンス制御構成要素１５９０は、デバイス１５１０のプロセッサ１５３０および／または他の構成要素と協働して、本明細書で教示する別のデバイス（たとえば、デバイス１５５０）との間でプレゼンス関係情報を送信／受信し得る。同様に、プレゼンス制御構成要素１５９２は、プロセッサ１５７０および／またはデバイス１５５０の他の構成要素と協働して、別のデバイス（たとえば、デバイス１５１０）との間でプレゼンス関係情報を送信／受信し得る。各デバイス１５１０および１５５０について、説明した構成要素のうちの２つ以上の機能が単一の構成要素によって与えられ得ることを諒解されたい。たとえば、単一の処理構成要素がプレゼンス制御構成要素１５９０およびプロセッサ１５３０の機能を与え得、また、単一の処理構成要素がプレゼンス制御構成要素１５９２およびプロセッサ１５７０の機能を与え得る。
【０１１４】
[00128]本明細書の教示は、様々なタイプの通信システムおよび／またはシステム構成要素に組み込まれ得る。いくつかの態様では、本明細書の教示は、利用可能なシステムリソースを共有することによって（たとえば、帯域幅、送信電力、コーディング、インターリーブなどのうちの１つまたは複数を指定することによって）、複数のユーザとの通信をサポートすることが可能な多元接続システムにおいて採用され得る。たとえば、本明細書の教示は、以下の技術、すなわち、符号分割多元接続（ＣＤＭＡ）システム、マルチキャリアＣＤＭＡ（ＭＣＣＤＭＡ）、広帯域ＣＤＭＡ（Ｗ−ＣＤＭＡ）（登録商標）、高速パケットアクセス（ＨＳＰＡ、ＨＳＰＡ＋）システム、時間分割多元接続（ＴＤＭＡ）システム、周波数分割多元接続（ＦＤＭＡ）システム、シングルキャリアＦＤＭＡ（ＳＣ−ＦＤＭＡ）システム、直交周波数分割多元接続（ＯＦＤＭＡ）システム、または他の多元接続技法のうちのいずれか１つまたはそれらの組合せに適用され得る。本明細書の教示を採用するワイヤレス通信システムは、ＩＳ−９５、ｃｄｍａ２０００、ＩＳ−８５６、Ｗ−ＣＤＭＡ、ＴＤＳＣＤＭＡ、および他の規格など、１つまたは複数の規格を実装するように設計され得る。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００、または何らかの他の技術などの無線技術を実装し得る。ＵＴＲＡは、Ｗ−ＣＤＭＡおよび低チップレート（ＬＣＲ）を含む。ｃｄｍａ２０００技術は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装し得る。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。本明細書の教示は、３ＧＰＰ  Ｌｏｎｇ  Ｔｅｒｍ  Ｅｖｏｌｕｔｉｏｎ（ＬＴＥ）システム、Ｕｌｔｒａ  Ｍｏｂｉｌｅ  Ｂｒｏａｄｂａｎｄ（ＵＭＢ）システム、および他のタイプのシステムで実装され得る。ＬＴＥは、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されており、ｃｄｍａ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。本開示のいくつかの態様については、３ＧＰＰ用語を使用して説明することがあるが、本明細書の教示は、３ＧＰＰ（たとえば、Ｒｅｌ９９、Ｒｅｌ５、Ｒｅｌ６、Ｒｅｌ７）技術、ならびに３ＧＰＰ２（たとえば、１ｘＲＴＴ、１ｘＥＶ−ＤＯ  Ｒｅｌ０、ＲｅｖＡ、ＲｅｖＢ）技術および他の技術に適用され得ることを理解され��い。
【０１１５】
[00129]本明細書の教示は、様々な装置（たとえば、ノード）に組み込まれ得る（たとえば、それらの装置内に実装されるか、またはそれらの装置によって実行され得る）。いくつかの態様では、本明細書の教示に従って実装されるノード（たとえば、ワイヤレスノード）はアクセスポイントまたはアクセス端末を備え得る。
【０１１６】
[00130]たとえば、アクセス端末は、ユーザ機器、加入者局、加入者ユニット、移動局、モバイル、モバイルノード、リモート局、リモート端末、ユーザ端末、ユーザエージェント、ユーザデバイス、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、またはワイヤレスモデムに接続された何らかの他の好適な処理デバイスを備え得る。したがって、本明細書で教示する１つまたは複数の態様は、電話（たとえば、セルラー電話またはスマートフォン）、コンピュータ（たとえば、ラップトップ）、ポータブル通信デバイス、ポータブルコンピューティングデバイス（たとえば、個人情報端末）、エンターテインメントデバイス（たとえば、音楽デバイス、ビデオデバイス、または衛星ラジオ）、全地球測位システムデバイス、またはワイヤレス媒体を介して通信するように構成された他の好適なデバイスに組み込まれ得る。
【０１１７】
[00131]アクセスポイントは、ノードＢ、ｅノードＢ、無線ネットワークコントローラ（ＲＮＣ）、基地局（ＢＳ）、無線基地局（ＲＢＳ）、基地局コントローラ（ＢＳＣ）、送受信基地局（ＢＴＳ）、トランシーバ機能（ＴＦ）、無線トランシーバ、無線ルータ、基本サービスセット（ＢＳＳ）、拡張サービスセット（ＥＳＳ）、マクロセル、マクロノード、ホームｅＮＢ（ＨｅＮＢ）、フェムトセル、フェムトノード、ピコノード、または何らかの他の同様の用語を備えるか、それらのいずれかとして実装されるか、あるいはそれらのいずれかとして知られていることがある。
【０１１８】
[00132]いくつかの態様では、ノード（たとえば、アクセスポイント）は、通信システムのためのアクセスノードを備え得る。そのようなアクセスノードは、たとえば、ネットワーク（たとえば、インターネットまたはセルラーネットワークなど、ワイドエリアネットワーク）へのワイヤードまたはワイヤレス通信リンクを介した、ネットワークのためのまたはネットワークへの接続性を与え得る。したがって、アクセスノードは、別のノード（たとえば、アクセス端末）がネットワークまたは何らかの他の機能にアクセスすることを可能にし得る。さらに、それらのノードの一方または両方はポータブルであり得るか、または、場合によっては、比較的非ポータブルであり得ることを諒解されたい。
【０１１９】
[00133]また、ワイヤレスノードは、非ワイヤレス方式で（たとえば、ワイヤード接続を介して）情報を送信および／または受信することが可能であり得ることを諒解されたい。したがって、本明細書で説明する受信機および送信機は、非ワイヤレス媒体を介して通信するための適切な通信インターフェース構成要素（たとえば、電気的または光学的インターフェース構成要素）を含み得る。
【０１２０】
[00134]ワイヤレスノードは、好適なワイヤレス通信技術に基づくか、またはさもなければそれをサポートする、１つまたは複数のワイヤレス通信リンクを介して通信し得る。たとえば、いくつかの態様では、ワイヤレスノードはネットワークに関連し得る。いくつかの態様では、ネットワークはローカルエリアネットワークまたはワイドエリアネットワークを備え得る。ワイヤレスデバイスは、本明細書で説明するものなど、様々なワイヤレス通信技術、プロトコル、または規格（たとえば、ＣＤＭＡ、ＴＤＭＡ、ＯＦＤＭ、ＯＦＤＭＡ、ＷｉＭＡＸ（登録商標）、Ｗｉ−Ｆｉ（登録商標）など）のうちの１つまたは複数をサポートするか、またさもなければ使用し得る。同様に、ワイヤレスノードは、様々な対応する変調方式または多重化方式のうちの１つまたは複数をサポートするか、またはさもなければ使用し得る。したがって、ワイヤレスノードは、上記または他のワイヤレス通信技術を使用して１つまたは複数のワイヤレス通信リンクを確立し、それを介して通信するための適切な構成要素（たとえば、エアインターフェース）を含み得る。たとえば、ワイヤレスノードは、ワイヤレス媒体上の通信を可能にする様々な構成要素（たとえば、信号生成器および信号処理器）を含み得る、関連する送信機構成要素と受信機構成要素とをもつワイヤレストランシーバを備え得る。
【０１２１】
[00135]上記に鑑みて、いくつかの態様では、第１の通信の方法は、アクセス端末のロケーションを示す情報を受信することと、受信した情報に基づいて、アクセス端末についてのプレゼンス情報を維持することであって、プレゼンス情報は、アクセス端末が、少なくとも１つのフェムトセルのセットのために定義されたプレゼンスドメインに存在するかどうかを示す、維持することと、プレゼンス情報をプレゼンスドメインに関連付けられた少なくとも１つのエンティティに送ることとを備える。さらに、いくつかの態様ではまた、受信した情報が、アクセス端末が登録したセットのフェムトセルを識別する登録情報を備えることと、少なくとも１つのエンティティが、セットの少なくとも１つのフェムトセルを備えることと、少なくとも１つのエンティティが、アクセス端末または別のアクセス端末のうちの少なくとも１つを備えることと、プレゼンス情報が、アクセス端末の物理的ロケーションまたはアクセス端末の論理ロケーションのうちの少なくとも１つを識別することと、プレゼンス情報が、アクセス端末がセットのフェムトセルまたは別のセルと通信しているかどうかを示すことと、本方法がセットのフェムトセルによって実行されることと、本方法がコアネットワークエンティティによって実行されることと、プレゼンス情報が、プレゼンス情報の変化の結果として送られるか、または少なくとも１つのエンティティからプレゼンス情報の要求を受信した結果として送られることと、受信した情報が、アクセス端末が登録したアクセスポイントを識別する登録情報を備えることと、アクセス端末および少なくとも１つのエンティティが、プレゼンスドメインに関連付けられたユーザのグループに割り当てられた複数のアクセス端末を備えることとのうちの少なくとも１つが第１の通信の方法に適用され得る。
【０１２２】
[00136]いくつかの態様では、第１の通信の方法に関係する上記の態様のうちの１つまたは複数に対応する機能は、たとえば、本明細書で教示する構造を使用する装置中で実装され得る。さらに、コンピュータプログラム製品は、コンピュータに、第１の通信の方法に関係する上記の態様のうちの１つまたは複数に対応する機能を与えさせるように構成されたコードを備え得る。
【０１２３】
[00137]たとえば、いくつかの態様では、通信のための第１の装置は、アクセス端末のロケーションを示す情報を受信するように構成された受信機と、受信した情報に基づいて、アクセス端末についてのプレゼンス情報を維持することであって、プレゼンス情報は、アクセス端末が、少なくとも１つのフェムトセルのセットのために定義されたプレゼンスドメインに存在するかどうかを示す、維持することを行うように構成された処理システムと、プレゼンス情報をプレゼンスドメインに関連付けられた少なくとも１つのエンティティに送るように構成された送信機とを備える。さらに、いくつかの態様ではまた、受信した情報が、アクセス端末が登録したセットのフェムトセルを識別する登録情報を備えることと、少なくとも１つのエンティティが、セットの少なくとも１つのフェムトセルを備えることと、少なくとも１つのエンティティが、アクセス端末または別のアクセス端末のうちの少なくとも１つを備えることと、プレゼンス情報が、アクセス端末の物理的ロケーションまたはアクセス端末の論理ロケーションのうちの少なくとも１つを識別することと、プレゼンス情報が、アクセス端末がセットのフェムトセルまたは別のセルと通信しているかどうかを示すことと、本装置がセットのフェムトセルを備えることと、本装置がコアネットワークエンティティを備えることと、プレゼンス情報が、プレゼンス情報の変化の結果として送られるか、または少なくとも１つのエンティティからプレゼンス情報の要求を受信した結果として送られることと、受信した情報が、アクセス端末が登録したアクセスポイントを識別する登録情報を備えることと、アクセス端末および少なくとも１つのエンティティが、プレゼンスドメインに関連付けられたユーザのグループに割り当てられた複数のアクセス端末を備えることとのうちの少なくとも１つが第１の装置に適用され得る。
【０１２４】
[00138]いくつかの態様では、通信のための第２の装置は、アクセス端末のロケーションを示す情報を受信するための手段と、受信した情報に基づいて、アクセス端末についてのプレゼンス情報を維持するための手段であって、プレゼンス情報は、アクセス端末が、少なくとも１つのフェムトセルのセットのために定義されたプレゼンスドメインに存在するかどうかを示す、維持するための手段と、プレゼンス情報をプレゼンスドメインに関連付けられた少なくとも１つのエンティティに送るための手段とを備える。さらに、いくつかの態様ではまた、受信した情報が、アクセス端末が登録したセットのフェムトセルを識別する登録情報を備えることと、少なくとも１つのエンティティが、セットの少なくとも１つのフェムトセルを備えることとのうちの少なくとも１つが第２の装置に適用され得る。
【０１２５】
[00139]いくつかの態様では、第１のコンピュータプログラム製品は、コンピュータに、アクセス端末のロケーションを示す情報を受信することと、受信した情報に基づいて、アクセス端末についてのプレゼンス情報を維持することであって、プレゼンス情報は、アクセス端末が、少なくとも１つのフェムトセルのセットのために定義されたプレゼンスドメインに存在するかどうかを示す、維持することと、プレゼンス情報をプレゼンスドメインに関連付けられた少なくとも１つのエンティティに送ることとを行わせるためのコードを備えるコンピュータ可読媒体を備える。さらに、いくつかの態様ではまた、受信した情報が、アクセス端末が登録したセットのフェムトセルを識別する登録情報を備えることと、少なくとも１つのエンティティが、セットの少なくとも１つのフェムトセルを備えることとのうちの少なくとも１つが第１のコンピュータプログラム製品に適用され得る。
【０１２６】
[00140]いくつかの態様では、第２の通信の方法は、アクセス端末がアクセスポイントに登録したことを判断することと、アクセス端末についてのプレゼンス情報を維持するプレゼンスサーバを識別することであって、プレゼンス情報は、アクセス端末が、少なくとも１つのフェムトセルのセットのために定義されたプレゼンスドメインに存在するかどうかを示す、識別することと、登録情報をプレゼンスサーバに送ることであって、登録情報は、アクセス端末がアクセスポイントに登録したことを示す、送ることとを備える。さらに、いくつかの態様ではまた、本方法がアクセスポイントによって実行されることと、アクセスポイントがセルラーマクロアクセスポイントを備えることと、プレゼンスサーバの識別が、アクセス端末が関連付けられたプレゼンスドメインを識別することを備えることと、プレゼンスサーバが、セットのフェムトセル中で実施されることと、プレゼンスサーバが、セルラーコアネットワークエンティティ中で実施されることとのうちの少なくとも１つが第２の通信の方法に適用され得る。
【０１２７】
[00141]いくつかの態様では、第２の通信の方法に関係する上記の態様のうちの１つまたは複数に対応する機能は、たとえば、本明細書で教示する構造を使用する装置中で実装され得る。さらに、コンピュータプログラム製品は、コンピュータに、第２の通信の方法に関係する上記の態様のうちの１つまたは複数に対応する機能を与えさせるように構成されたコードを備え得る。
【０１２８】
[00142]たとえば、いくつかの態様では、通信のための第３の装置は、アクセス端末がアクセスポイントに登録したことを判断するように構成された処理システムであって、アクセス端末についてのプレゼンス情報を維持するプレゼンスサーバを識別することであって、プレゼンス情報は、アクセス端末が、少なくとも１つのフェムトセルのセットのために定義されたプレゼンスドメインに存在するかどうかを示す、識別することを行うようにさらに構成された処理システムと、登録情報をプレゼンスサーバに送ることであって、登録情報は、アクセス端末がアクセスポイントに登録したことを示す、送ることを行うように構成された送信機とを備える。さらに、いくつかの態様ではまた、本装置がアクセスポイントを備えることと、アクセスポイントがセルラーマクロアクセスポイントを備えることと、プレゼンスサーバの識別が、アクセス端末が関連付けられたプレゼンスドメインを識別することを備えることと、プレゼンスサーバが、セットのフェムトセル中で実施されることと、プレゼンスサーバが、セルラーコアネットワークエンティティ中で実施されることとのうちの少なくとも１つが第３の装置に適用され得る。
【０１２９】
[00143]いくつかの態様では、通信のための第４の装置は、アクセス端末がアクセスポイントに登録したことを判断するための手段と、アクセス端末についてのプレゼンス情報を維持するプレゼンスサーバを識別するための手段であって、プレゼンス情報は、アクセス端末が、少なくとも１つのフェムトセルのセットのために定義されたプレゼンスドメインに存在するかどうかを示す、識別するための手段と、登録情報をプレゼンスサーバに送るための手段であって、登録情報は、アクセス端末がアクセスポイントに登録したことを示す、送るための手段とを備える。さらに、いくつかの態様ではまた、プレゼンスサーバの識別が、アクセス端末が関連付けられたプレゼンスドメインを識別することを備えることが第４の装置に適用され得る。
【０１３０】
[00144]いくつかの態様では、第２のコンピュータプログラム製品は、コンピュータに、アクセス端末がアクセスポイントに登録したことを判断することと、アクセス端末についてのプレゼンス情報を維持するプレゼンスサーバを識別することであって、プレゼンス情報は、アクセス端末が、少なくとも１つのフェムトセルのセットのために定義されたプレゼンスドメインに存在するかどうかを示す、識別することと、登録情報をプレゼンスサーバに送ることであって、登録情報は、アクセス端末がアクセスポイントに登録したことを示す、送ることとを行わせるためのコードを備えるコンピュータ可読媒体を備える。さらに、いくつかの態様ではまた、プレゼンスサーバの識別が、アクセス端末が関連付けられたプレゼンスドメインを識別することを備えることが第２のコンピュータプログラム製品に適用され得る。
【０１３１】
[00145]いくつかの態様では、第３の通信の方法は、アクセス端末に配信されるべきである情報を記憶することと、アクセス端末が、少なくとも１つのフェムトセルのセットのために定義されたプレゼンスドメインに存在することを判断することと、アクセス端末がプレゼンスドメインに存在するという判断の結果として、記憶された情報をアクセス端末に配信することとを備える。さらに、いくつかの態様ではまた、アクセス端末がプレゼンスドメインに存在する場合、情報がアクセス端末に配信されるべきであるという指示とともに情報が記憶されることと、本方法が、情報と指示とを生成したエンティティから情報と指示とを受信することをさらに備えることと、エンティティが別のアクセス端末を備えることと、本方法が、アクセス端末についてのプレゼンス情報を受信することであって、アクセス端末がプレゼンスドメインに存在するという判断が、受信したプレゼンス情報に基づく、受信することをさらに備えることと、プレゼンス情報が、アクセス端末がプレゼンスドメインに存在するかどうかを追跡するプレゼンスサーバから受信されることと、プレゼンス情報が、アクセス端末がセットのフェムトセルまたは別のセルと通信しているかどうかを示すことと、本方法がセットのフェムトセルによって実行されることと、本方法がセルラーコアネットワークエンティティによって実行されることとのうちの少なくとも１つが第３の通信の方法に適用され得る。
【０１３２】
[00146]いくつかの態様では、第３の通信の方法に関係する上記の態様のうちの１つまたは複数に対応する機能は、たとえば、本明細書で教示する構造を使用する装置中で実装され得る。さらに、コンピュータプログラム製品は、コンピュータに、第３の通信の方法に関係する上記の態様のうちの１つまたは複数に対応する機能を与えさせるように構成されたコードを備え得る。
【０１３３】
[00147]たとえば、いくつかの態様では、通信のための第５の装置は、アクセス端末に配信されるべきである情報を記憶するように構成されたメモリ構成要素と、アクセス端末が、少なくとも１つのフェムトセルのセットのために定義されたプレゼンスドメインに存在することを判断するように構成された処理システムであって、アクセス端末がプレゼンスドメインに存在するという判断の結果として、記憶された情報をアクセス端末に配信するようにさらに構成された処理システムとを備える。さらに、いくつかの態様ではまた、アクセス端末がプレゼンスドメインに存在する場合、情報がアクセス端末に配信されるべきであるという指示とともに情報が記憶されることと、本装置が、情報と指示とを生成したエンティティから情報と指示とを受信するように構成された受信機をさらに備えることと、エンティティが別のアクセス端末を備えることと、本装置が、アクセス端末についてのプレゼンス情報を受信することであって、アクセス端末がプレゼンスドメインに存在するという判断が、受信したプレゼンス情報に基づく、受信することを行うように構成された受信機をさらに備えることと、プレゼンス情報が、アクセス端末がプレゼンスドメインに存在するかどうかを追跡するプレゼンスサーバから受信されることと、プレゼンス情報が、アクセス端末がセットのフェムトセルまたは別のセルと通信しているかどうかを示すことと、本装置がセットのフェムトセルを備えることと、本装置がセルラーコアネットワークエンティティを備えることとのうちの少なくとも１つが第５の装置に適用され得る。
【０１３４】
[00148]いくつかの態様では、通信のための第６の装置は、アクセス端末に配信されるべきである情報を記憶するための手段と、アクセス端末が、少なくとも１つのフェムトセルのセットのために定義されたプレゼンスドメインに存在することを判断するための手段と、アクセス端末がプレゼンスドメインに存在するという判断の結果として、記憶された情報をアクセス端末に配信するための手段とを備える。さらに、いくつかの態様ではまた、アクセス端末がプレゼンスドメインに存在する場合、情報がアクセス端末に配信されるべきであるという指示とともに情報が記憶されることと、本装置が、情報と指示とを生成したエンティティから情報と指示とを受信するための手段をさらに備えることと、本装置が、アクセス端末についてのプレゼンス情報を受信するための手段であって、アクセス端末がプレゼンスドメインに存在するという判断が、受信したプレゼンス情報に基づく、受信するための手段をさらに備えることとのうちの少なくとも１つが第６の装置に適用され得る。
【０１３５】
[00149]いくつかの態様では、第３のコンピュータプログラム製品は、コンピュータに、アクセス端末に配信されるべきである情報を記憶することと、アクセス端末が、少なくとも１つのフェムトセルのセットのために定義されたプレゼンスドメインに存在することを判断することと、アクセス端末がプレゼンスドメインに存在するという判断の結果として、記憶された情報をアクセス端末に配信することとを行わせるためのコードを備えるコンピュータ可読媒体を備える。さらに、いくつかの態様ではまた、アクセス端末がプレゼンスドメインに存在する場合、情報がアクセス端末に配信されるべきであるという指示とともに情報が記憶されることと、コンピュータ可読媒体が、コンピュータに、情報と指示とを生成したエンティティから情報と指示とを受信させるためのコードをさらに備えることと、コンピュータ可読媒体が、コンピュータに、アクセス端末についてのプレゼンス情報を受信させるためのコードをさらに備えることと、アクセス端末がプレゼンスドメインに存在するという判断が、受信したプレゼンス情報に基づくこととのうちの少なくとも１つが第３のコンピュータプログラム製品に適用され得る。
【０１３６】
[00150]（たとえば、添付の図のうちの１つまたは複数に関して）本明細書で説明した機能は、いくつかの態様では、添付の特許請求の範囲において同様に指定された「手段」機能に対応し得る。図１６〜図２１を参照すると、装置１６００、１７００、１８００、１９００、２０００、および２１００が、一連の相互に関係する機能モジュールとして表されている。ここで、アクセス端末がプレゼンスドメインに存在することを判断するためのモジュール１６０２は、少なくともいくつかの態様では、たとえば、本明細書で説明する処理システムに対応し得る。アクセス端末のための通信を可能にするためのモジュール１６０４は、少なくともいくつかの態様では、たとえば、本明細書で説明するトランシーバに対応し得る。プレゼンス情報を受信するためのモジュール１６０６は、少なくともいくつかの態様では、たとえば、本明細書で説明するトランシーバに対応し得る。アクセス端末が登録したことを判断するためのモジュール１６０８は、少なくともいくつかの態様では、たとえば、本明細書で説明する処理システムに対応し得る。プレゼンス情報を更新するためのモジュール１６１０は、少なくともいくつかの態様では、たとえば、本明細書で説明する処理システムに対応し得る。更新されたプレゼンス情報を送るためのモジュール１６１２は、少なくともいくつかの態様では、たとえば、本明細書で説明するトランシーバに対応し得る。アクセス端末のロケーションを示す情報を受信するためのモジュール１７０２は、少なくともいくつかの態様では、たとえば、本明細書で説明するトランシーバに対応し得る。プレゼンス情報を維持するためのモジュール１７０４は、少なくともいくつかの態様では、たとえば、本明細書で説明する処理システムおよび／またはメモリ構成要素に対応し得る。プレゼンス情報を送るためのモジュール１７０６は、少なくともいくつかの態様では、たとえば、本明細書で説明するトランシーバに対応し得る。アクセス端末が登録したことを判断するためのモジュール１８０２は、少なくともいくつかの態様では、たとえば、本明細書で説明する処理システムに対応し得る。プレゼンスサーバを識別するためのモジュール１８０４は、少なくともいくつかの態様では、たとえば、本明細書で説明する処理システムに対応し得る。登録情報をプレゼンスサーバに送るためのモジュール１８０６は、少なくともいくつかの態様では、たとえば、本明細書で説明するトランシーバに対応し得る。アクセス端末に配信されるべきである情報を記憶するためのモジュール１９０２は、少なくともいくつかの態様では、たとえば、本明細書で説明するメモリ構成要素に対応し得る。アクセス端末がプレゼンスドメインに存在することを判断するためのモジュール１９０４は、少なくともいくつかの態様では、たとえば、本明細書で説明する処理システムに対応し得る。記憶された情報をアクセス端末に配信するためのモジュール１９０６は、少なくともいくつかの態様では、たとえば、本明細書で説明する処理システムおよび／またはトランシーバに対応し得る。情報と指示とを受信するためのモジュール１９０８は、少なくともいくつかの態様では、たとえば、本明細書で説明するトランシーバに対応��得る。プレゼンス情報を受信するためのモジュール１９１０は、少なくともいくつかの態様では、たとえば、本明細書で説明するトランシーバに対応し得る。アクセス端末に配信されるべき情報を与えるためのモジュール２００２は、少なくともいくつかの態様では、たとえば、本明細書で説明する処理システムに対応し得る。アクセス端末がプレゼンスドメインに存在する場合、情報がアクセス端末に配信されるべきであるという指示を与えるためのモジュール２００４は、少なくともいくつかの態様では、たとえば、本明細書で説明する処理システムに対応し得る。情報と指示とを送るためのモジュール２００６は、少なくともいくつかの態様では、たとえば、本明細書で説明するトランシーバに対応し得る。フェムトセルとの通信を確立するためのモジュール２１０２は、少なくともいくつかの態様では、たとえば、本明細書で説明する処理システムに対応し得る。アクセス端末がプレゼンスドメインに存在する場合、アクセス端末に配信されるべき情報を受信するためのモジュール２１０４は、少なくともいくつかの態様では、たとえば、本明細書で説明する受信機に対応し得る。アクセス端末がプレゼンスドメインに存在することを判断するためのモジュール２１０６は、少なくともいくつかの態様では、たとえば、本明細書で説明する処理システムに対応し得る。情報の要求を送るためのモジュール２１０８は、少なくともいくつかの態様では、たとえば、本明細書で説明する処理システムに対応し得る。指示を生成するためのモジュール２１１０は、少なくともいくつかの態様では、たとえば、本明細書で説明するユーザインターフェースに対応し得る。
【０１３７】
[00151]図１６〜図２１のモジュールの機能は、本明細書の教示に一致する様々な方法で実装され得る。いくつかの態様では、これらのモジュールの機能は、１つまたは複数の電気的構成要素として実装され得る。いくつかの態様では、これらのブロックの機能は、１つまたは複数のプロセッサ構成要素を含む処理システムとして実装され得る。いくつかの態様では、これらのモジュールの機能は、たとえば、１つまたは複数の集積回路（たとえば、ＡＳＩＣ）の少なくとも一部分を使用して実装され得る。本明細書で説明するように、集積回路は、プロセッサ、ソフトウェア、他の関係する構成要素、またはそれらの何らかの組合せを含み得る。これらのモジュールの機能はまた、本明細書で教示する方法とは別の何らかの方法で実装され得る。いくつかの態様では、図１６〜図２１中の破線ブロックのうちの１つまたは複数は随意である。
【０１３８】
[00152]本明細書における「第１」、「第２」などの名称を使用した要素への言及は、それらの要素の数量または順序を概括的に限定するものでないことを理解されたい。むしろ、これらの名称は、本明細書において２つ以上の要素またはある要素の複数の例を区別する便利な方法として使用され得る。したがって、第１および第２の要素への言及は、そこで２つの要素のみが採用され得ること、または第１の要素が何らかの方法で第２の要素に先行しなければならないことを意味するものではない。また、別段に記載されていない限り、要素のセットは１つまたは複数の要素を備え得る。さらに、明細書または特許請求の範囲において使用される「Ａ、Ｂ、またはＣのうちの少なくとも１つ」または「Ａ、Ｂ、またはＣのうちの１つまたは複数」または「Ａ、Ｂ、およびＣからなるグループのうちの少なくとも１つ」という形式の用語は、「ＡまたはＢまたはＣあるいはこれらの要素の任意の組合せ」を意味する。
【０１３９】
[00153]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１４０】
[00154]さらに、本明細書で開示した態様に関して説明した様々な例示的な論理ブロック、モジュール、プロセッサ、手段、回路、およびアルゴリズムステップのいずれも、電子ハードウェア（たとえば、ソースコーディングまたは何らかの他の技法を使用して設計され得る、デジタル実装形態、アナログ実装形態、またはそれら２つの組合せ）、命令を組み込んだ様々な形態のプログラムまたは設計コード（便宜上、本明細書では「ソフトウェア」または「ソフトウェアモジュール」と呼ぶことがある）、あるいはその両方の組合せとして実装され得ることを当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈されるべきではない。
【０１４１】
[00155]本明細書で開示した態様に関して説明した様々な例示的な論理ブロック、モジュール、および回路は、（たとえば、１つまたは複数の集積回路を備える）処理システム内に実装され得るか、またはそれらによって実行され得る。処理システムは、本明細書で説明した機能を実行するように設計された、汎用プロセッサ、専用プロセッサ、マイクロプロセッサ、マイクロコントローラ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、電子的構成要素、光学的構成要素、機械的構成要素、あるいはそれらの任意の組合せを備え得、処理システムの内部、処理システムの外部、またはその両方に常駐するコードまたは命令を実行し得る。処理システムはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１４２】
[00156]処理システムは、バスアーキテクチャを用いて実装され得る。バスは、処理システムの特定の適用例および全体的な設計制約に応じて、任意の数の相互接続バスおよびブリッジを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、ＰＨＹレイヤの信号処理機能を実装するために使用され得る。ユーザ端末の場合、ユーザインターフェース（たとえば、キーパッド、ディスプレイ、マウス、ジョイスティックなど）もバスに接続され得る。バスはまた、タイミングソース、周辺機器、電圧調整器、電力管理回路などの様々な他の回路をリンクし得るが、それらは当技術分野でよく知られており、したがってこれ以上は説明しない。
【０１４３】
[00157]処理システムは、機械可読媒体に記憶されたソフトウェアの実行を含む、バスおよび一般的な処理を管理することを担当し得る。ソフトウェアは、ソフトウェア、ファームウェア、ミドルウェア、マイクロコード、ハードウェア記述言語などの名称にかかわらず、命令、データ、またはそれらの任意の組合せを意味すると広く解釈されたい。
【０１４４】
[00158]１つまたは複数の例示的な実施形態では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、いくつかの態様では、コンピュータ可読媒体は一時的コンピュータ可読媒体（たとえば、信号）を備え得る。上記の組合せもコンピュータ可読媒体の範囲内に含めるべきである。コンピュータ可読媒体は任意の好適なコンピュータプログラム製品に実装され得ることを諒解されたい。
【０１４５】
[00159]開示したプロセス中のステップの特定の順序または階層は例示的な手法の一例である。設計上の選好に基づいて、プロセス中のステップの特定の順序または階層は本開示の範囲内のまま再構成され得る。添付の方法クレームは、様々なステップの要素を例示的な順序で提示したものであり、提示された特定の順序または階層に限定されるものではない。
【０１４６】
[00160]開示した態様の前述の説明は、当業者が本開示を実施または使用できるように与えたものである。これらの態様への様々な修正は当業者には容易に明らかになり、本明細書で定義した一般原理は、本開示の範囲から逸脱することなく他の態様に適用され得る。したがって、本開示は、本明細書で示した態様に限定されるものではなく、本明細書で開示した原理および新規の特徴に一致する最も広い範囲を与えられるべきである。
以下に本願発明の当初の特許請求の範囲に記載された発明を付記する。
［書類名］特許請求の範囲
［Ｃ１］
アクセス端末が、少なくとも１つのフェムトセルのセットのために定義されたプレゼンスドメインに存在することを判断することと、前記判断が前記アクセス端末についてのプレゼンス情報に基づく、
前記アクセス端末が前記プレゼンスドメインに存在するという前記判断の結果として、前記セットのフェムトセルにおいて前記アクセス端末のための通信を可能にすることとを備える、通信の方法。
［Ｃ２］
前記通信を前記可能にすることが、前記アクセス端末と前記プレゼンスドメインに存在する別のアクセス端末との間に通信を確立することを備える、Ｃ１に記載の方法。
［Ｃ３］
前記アクセス端末間に確立された前記通信が、セルラーマクロネットワークを通してルーティングされない、Ｃ２に記載の方法。
［Ｃ４］
前記通信を前記可能にすることが、前記通信のために非セルラーアクセス技術を選択することを備える、Ｃ１に記載の方法。
［Ｃ５］
前記非セルラーアクセス技術が、ワイヤレスローカルエリアネットワーク技術、イーサネット技術、または電力線通信技術を備える、Ｃ１に記載の方法。
［Ｃ６］
前記アクセス端末が前記プレゼンスドメインに存在するかどうかを追跡するプレゼンスサーバから前記プレゼンス情報を受信することをさらに備える、Ｃ１に記載の方法。
［Ｃ７］
前記プレゼンス情報が、前記アクセス端末の物理的ロケーションまたは前記アクセス端末の論理ロケーションのうちの少なくとも１つを識別する、Ｃ１に記載の方法。
［Ｃ８］
前記プレゼンス情報は、前記アクセス端末が前記セットのフェムトセルと通信しているのか別のセルと通信しているのかを示す、Ｃ１に記載の方法。
［Ｃ９］
前記方法が、前記セットの前記フェムトセルによって実行される、Ｃ１に記載の方法。
［Ｃ１０］
前記アクセス端末が前記セットの前記フェムトセルに登録したことを判断することと、
前記登録の結果として前記アクセス端末についての前記プレゼンス情報を更新することと、
前記更新されたプレゼンス情報を前記プレゼンスドメインに関連付けられた少なくとも１つの他のエンティティに送ることとをさらに備える、Ｃ９に記載の方法。
［Ｃ１１］
アクセス端末が、少なくとも１つのフェムトセルのセットのために定義されたプレゼンスドメインに存在することを判断することを行うように構成された処理システムと、前記判断が前記アクセス端末についてのプレゼンス情報に基づく、
前記アクセス端末が前記プレゼンスドメインに存在するという前記判断の結果として、前記セットのフェムトセルにおいて前記アクセス端末のための通信を可能にするように構成されたトランシーバとを備える、通信のための装置。
［Ｃ１２］
前記通信を前記可能にすることが、前記アクセス端末と前記プレゼンスドメインに存在する別のアクセス端末との間に通信を確立することを備える、Ｃ１１に記載の装置。
［Ｃ１３］
前記アクセス端末間に確立された前記通信が、セルラーマクロネットワークを通してルーティングされない、Ｃ１２に記載の装置。
［Ｃ１４］
前記通信を前記可能にすることが、前記通信のために非セルラーアクセス技術を選択することを備える、Ｃ１１に記載の装置。
［Ｃ１５］
前記非セルラーアクセス技術が、ワイヤレスローカルエリアネットワーク技術、イーサネット技術、または電力線通信技術を備える、Ｃ１１に記載の装置。
［Ｃ１６］
前記アクセス端末が前記プレゼンスドメインに存在するかどうかを追跡するプレゼンスサーバから前記プレゼンス情報を受信するように構成されたネットワークインターフェースをさらに備える、Ｃ１１に記載の装置。
［Ｃ１７］
前記プレゼンス情報が、前記アクセス端末の物理的ロケーションまたは前記アクセス端末の論理ロケーションのうちの少なくとも１つを識別する、Ｃ１１に記載の装置。
［Ｃ１８］
前記プレゼンス情報は、前記アクセス端末が前記セットのフェムトセルと通信しているのか別のセルと通信しているのかを示す、Ｃ１１に記載の装置。
［Ｃ１９］
前記装置が前記セットの前記フェムトセルを備える、Ｃ１１に記載の装置。
［Ｃ２０］
前記処理システムが、
前記アクセス端末が前記セットの前記フェムトセルに登録したことを判断することと、
前記登録の結果として前記アクセス端末についての前記プレゼンス情報を更新することと、
前記更新されたプレゼンス情報を前記プレゼンスドメインに関連付けられた少なくとも１つの他のエンティティに送ることとを行うようにさらに構成された、Ｃ１９に記載の装置。
［Ｃ２１］
アクセス端末が、少なくとも１つのフェムトセルのセットのために定義されたプレゼンスドメインに存在することを判断するための手段と、前記判断が前記アクセス端末についてのプレゼンス情報に基づく、
前記アクセス端末が前記プレゼンスドメインに存在するという前記判断の結果として、前記セットのフェムトセルにおいて前記アクセス端末のための通信を可能にするための手段とを備える、通信のための装置。
［Ｃ２２］
前記通信を前記可能にすることが、前記アクセス端末と前記プレゼンスドメインに存在する別のアクセス端末との間に通信を確立することを備える、Ｃ２１に記載の装置。
［Ｃ２３］
前記アクセス端末が前記プレゼンスドメインに存在するかどうかを追跡するプレゼンスサーバから前記プレゼンス情報を受信するための手段をさらに備える、Ｃ２１に記載の装置。
［Ｃ２４］
前記アクセス端末が前記セットの前記フェムトセルに登録したことを判断するための手段と、
前記登録の結果として前記アクセス端末についての前記プレゼンス情報を更新するための手段と、
前記更新されたプレゼンス情報を前記プレゼンスドメインに関連付けられた少なくとも１つの他のエンティティに送るための手段とをさらに備える、Ｃ２１に記載の装置。
［Ｃ２５］
コンピュータに、
アクセス端末が、少なくとも１つのフェムトセルのセットのために定義されたプレゼンスドメインに存在することを判断することと、前記判断が前記アクセス端末についてのプレゼンス情報に基づく、
前記アクセス端末が前記プレゼンスドメインに存在するという前記判断の結果として、前記セットのフェムトセルにおいて前記アクセス端末のための通信を可能にすることとを行わせるためのコードを備えるコンピュータ可読媒体を備える、コンピュータプログラム製品。
［Ｃ２６］
前記通信を前記可能にすることが、前記アクセス端末と前記プレゼンスドメインに存在する別のアクセス端末との間に通信を確立することを備える、Ｃ２５に記載のコンピュータプログラム製品。
［Ｃ２７］
前記コンピュータ可読媒体が、前記コンピュータに、前記アクセス端末が前記プレゼンスドメインに存在するかどうかを追跡するプレゼンスサーバから前記プレゼンス情報を受信させるためのコードをさらに備える、Ｃ２５に記載のコンピュータプログラム製品。
［Ｃ２８］
前記コンピュータ可読媒体が、前記コンピュータに、
前記アクセス端末が前記セットの前記フェムトセルに登録したことを判断することと、
前記登録の結果として前記アクセス端末についての前記プレゼンス情報を更新することと、
前記更新されたプレゼンス情報を前記プレゼンスドメインに関連付けられた少なくとも１つの他のエンティティに送ることとを行わせるためのコードをさらに備える、Ｃ２５に記載のコンピュータプログラム製品。
［Ｃ２９］
アクセス端末に配信されるべき情報を与えることと、
前記アクセス端末が少なくとも１つのフェムトセルのセットのためのプレゼンスドメインに存在する場合、前記情報が前記アクセス端末に配信されるべきであるという指示を与えることと、
前記情報を前記アクセス端末に配信すべきであるエンティティに前記情報と前記指示とを送ることとを備える、通信の方法。
［Ｃ３０］
前記指示を前記与えることは、前記アクセス端末が前記プレゼンスドメインに関連付けられたことを判断することを備える、Ｃ２９に記載の方法。
［Ｃ３１］
前記指示を前記与えることは、前記アクセス端末が前記プレゼンスドメインに存在するまで、前記情報が前記アクセス端末に配信されるべきでないことを判断することを備える、Ｃ２９に記載の方法。
［Ｃ３２］
前記エンティティが前記セットのフェムトセルを備える、Ｃ２９に記載の方法。
［Ｃ３３］
前記エンティティがセルラーコアネットワークエンティティを備える、Ｃ２９に記載の方法。
［Ｃ３４］
前記方法が別のアクセス端末によって実行される、Ｃ２９に記載の方法。
［Ｃ３５］
アクセス端末に配信されるべき情報を与えるように構成された処理システムであって、前記アクセス端末が少なくとも１つのフェムトセルのセットのためのプレゼンスドメインに存在する場合、前記情報が前記アクセス端末に配信されるべきであるという指示を与えるようにさらに構成された処理システムと、
前記情報を前記アクセス端末に配信すべきであるエンティティに前記情報と前記指示とを送るように構成された送信機とを備える、通信のための装置。
［Ｃ３６］
前記指示を前記与えることは、前記アクセス端末が前記プレゼンスドメインに関連付けられたことを判断することを備える、Ｃ３５に記載の装置。
［Ｃ３７］
前記指示を前記与えることは、前記アクセス端末が前記プレゼンスドメインに存在するまで、前記情報が前記アクセス端末に配信されるべきでないことを判断することを備える、Ｃ３５に記載の装置。
［Ｃ３８］
前記エンティティが前記セットのフェムトセルを備える、Ｃ３５に記載の装置。
［Ｃ３９］
前記エンティティがセルラーコアネットワークエンティティを備える、Ｃ３５に記載の装置。
［Ｃ４０］
前記装置が別のアクセス端末を備える、Ｃ３５に記載の装置。
［Ｃ４１］
アクセス端末に配信されるべき情報を与えるための手段と、
前記アクセス端末が少なくとも１つのフェムトセルのセットのためのプレゼンスドメインに存在する場合、前記情報が前記アクセス端末に配信されるべきであるという指示を与えるための手段と、
前記情報を前記アクセス端末に配信すべきであるエンティティに前記情報と前記指示とを送るための手段とを備える、通信のための装置。
［Ｃ４２］
前記指示を前記与えることは、前記アクセス端末が前記プレゼンスドメインに関連付けられたことを判断することを備える、Ｃ４１に記載の装置。
［Ｃ４３］
前記指示を前記与えることは、前記アクセス端末が前記プレゼンスドメインに存在するまで、前記情報が前記アクセス端末に配信されるべきでないことを判断することを備える、Ｃ４１に記載の装置。
［Ｃ４４］
コンピュータに、
アクセス端末に配信されるべき情報を与えることと、
前記アクセス端末が少なくとも１つのフェムトセルのセットのためのプレゼンスドメインに存在する場合、前記情報が前記アクセス端末に配信されるべきであるという指示を与えることと、
前記情報を前記アクセス端末に配信すべきであるエンティティに前記情報と前記指示とを送ることとを行わせるためのコードを備えるコンピュータ可読媒体を備える、コンピュータプログラム製品。
［Ｃ４５］
前記指示を前記与えることは、前記アクセス端末が前記プレゼンスドメインに関連付けられたことを判断することを備える、Ｃ４４に記載のコンピュータプログラム製品。
［Ｃ４６］
前記指示を前記与えることは、前記アクセス端末が前記プレゼンスドメインに存在するまで、前記情報が前記アクセス端末に配信されるべきでないことを判断することを備える、Ｃ４４に記載のコンピュータプログラム製品。
［Ｃ４７］
アクセス端末において、プレゼンスドメインに関連付けられたフェムトセルとの通信を確立することと、
前記通信を確立することの結果として、前記アクセス端末が前記プレゼンスドメインに存在する場合、前記アクセス端末に配信されるべき情報を受信することとを備える、通信の方法。
［Ｃ４８］
前記通信を前記確立することが、前記アクセス端末を前記フェムトセルに登録することを備える、Ｃ４７に記載の方法。
［Ｃ４９］
前記通信を前記確立することに基づいて、前記アクセス端末が前記プレゼンスドメインに存在することを判断することと、
前記判断の結果として前記情報の要求を送ることと、前記情報が、前記要求を送ることの結果として受信される、をさらに備える、Ｃ４７に記載の方法。
［Ｃ５０］
前記受信された情報に基づいて、前記アクセス端末において指示を生成することをさらに備える、Ｃ４７に記載の方法。
［Ｃ５１］
前記情報が、前記プレゼンスドメインのためのプレゼンスサーバから受信される、Ｃ４７に記載の方法。
［Ｃ５２］
通信のための装置であって、
前記装置において、プレゼンスドメインに関連付けられたフェムトセルとの通信を確立するように構成された処理システムと、
前記通信を確立することの結果として、前記装置が前記プレゼンスドメインに存在する場合、前記装置に配信されるべき情報を受信するように構成された受信機とを備える、装置。
［Ｃ５３］
前記通信を前記確立することが、前記装置を前記フェムトセルに登録することを備える、Ｃ５２に記載の装置。
［Ｃ５４］
前記処理システムが、
前記通信を前記確立することに基づいて、前記装置が前記プレゼンスドメインに存在することを判断することと、
前記判断の結果として前記情報の要求を送ることと、前記情報が、前記要求を送ることの結果として受信される、を行うようにさらに構成された、Ｃ５２に記載の装置。
［Ｃ５５］
前記受信された情報に基づいて、前記装置において指示を生成するように構成されたユーザインターフェースをさらに備える、Ｃ５２に記載の装置。
［Ｃ５６］
前記情報が、前記プレゼンスドメインのためのプレゼンスサーバから受信される、Ｃ５２に記載の装置。
［Ｃ５７］
通信のための装置であって、
前記装置において、プレゼンスドメインに関連付けられたフェムトセルとの通信を確立するための手段と、
前記通信を確立することの結果として、前記装置が前記プレゼンスドメインに存在する場合、前記装置に配信されるべき情報を受信するための手段とを備える、装置。
［Ｃ５８］
前記通信を前記確立することに基づいて、前記装置が前記プレゼンスドメインに存在することを判断するための手段と、
前記判断の結果として前記情報の要求を送るための手段と、前記情報が、前記要求を送ることの結果として受信される、をさらに備える、Ｃ５７に記載の装置。
［Ｃ５９］
前記受信された情報に基づいて、前記装置において指示を生成するための手段をさらに備える、Ｃ５７に記載の装置。
［Ｃ６０］
コンピュータに、
アクセス端末において、プレゼンスドメインに関連付けられたフェムトセルとの通信を確立することと、
前記通信を確立することの結果として、前記アクセス端末が前記プレゼンスドメインに存在する場合、前記アクセス端末に配信されるべき情報を受信することとを行わせるためのコードを備えるコンピュータ可読媒体を備える、コンピュータプログラム製品。
［Ｃ６１］
前記コンピュータ可読媒体が、前記コンピュータに、
前記通信を前記確立することに基づいて、前記アクセス端末が前記プレゼンスドメインに存在することを判断することと、
前記判断の結果として前記情報の要求を送ることと、前記情報が、前記要求を送ることの結果として受信される、を行わせるためのコードをさらに備える、Ｃ６０に記載のコンピュータプログラム製品。
［Ｃ６２］
前記コンピュータ可読媒体が、前記コンピュータに、前記受信された情報に基づいて、前記アクセス端末において指示を生成させるためのコードをさらに備える、Ｃ６０に記載のコンピュータプログラム製品。
【図１】
0005944504.tif 000002
【図２】
0005944504.tif 000003
【図３】
0005944504.tif 000004
【図４】
0005944504.tif 000005
【図５】
0005944504.tif 000006
【図６】
0005944504.tif 000007
【図７】
0005944504.tif 000008
【図８】
0005944504.tif 000009
【図９】
0005944504.tif 000010
【図１０】
0005944504.tif 000011
【図１１】
0005944504.tif 000012
【図１２】
0005944504.tif 000013
【図１３】
0005944504.tif 000014
【図１４】
0005944504.tif 000015
【図１５】
0005944504.tif 000016
【図１６】
0005944504.tif 000017
【図１７】
0005944504.tif 000018
【図１８】
0005944504.tif 000019
【図１９】
0005944504.tif 000020
【図２０】
0005944504.tif 000021
【図２１】
0005944504.tif 000022